(57)【特許請求の範囲】
【請求項１】
遊技機での遊技に使用可能な遊技用価値を付与する遊技用装置と、当該遊技用装置と通信可能な管理装置とを備える遊技用システムであって、
前記遊技用装置は、
電子マネーを特定可能な記録媒体を受付可能である記録媒体受付手段と、
前記記録媒体受付手段によって受付けられた前記記録媒体から特定される電子マネーに基づいて遊技用価値の付与処理を実行可能である付与処理実行手段と、を備え、
前記電子マネーは、現金の受付に応じて加算される第１電子マネーと、現金の受付以外に応じて加算される第２電子マネーとを含み、
前記記録媒体は、前記第１電子マネーを特定可能な第１記録媒体と、前記第１電子マネーと前記第２電子マネーとを特定可能な第２記録媒体とを含み、
前記付与処理実行手段は、
前記記録媒体受付手段によって受付けられた前記第１記録媒体から特定される第１電子マネーに基づいて前記付与処理を実行可能であるとともに、
前記記録媒体受付手段によって受付けられた前記第２記録媒体から特定される第１電子マネーに基づいて前記付与処理を実行可能である一方、
前記記録媒体受付手段によって受付けられた前記第２記録媒体から特定される第２電子マネーに基づいて前記付与処理を実行不能であり、
前記遊技用システムは、
前記付与処理の実行に伴って減算される第１電子マネーの単位額の設定として、
消費税を考慮しない場合に所定額に割り当てることのできる貸出遊技媒体数から消費税額相当数の貸出遊技媒体を減らした数を前記単位額に割り当てるとともに当該所定額を前記単位額に割り当てることで前記単位額に消費税が含まれるようにした第１設定と、
消費税を考慮しない場合に当該所定額に割り当てることのできる貸出遊技媒体数を前記単位額に割り当てるとともに当該所定額に消費税額を上乗せした額を前記単位額に割り当てることで前記単位額に消費税が含まれるようにした第２設定とのいずれか一方を設定可能な設定手段を備え、
前記第１記録媒体は、遊技場に会員登録した会員遊技者に対して発行される遊技用記録媒体であり、遊技で獲得した遊技媒体の情報を特定可能である、遊技用システム。
【発明の詳細な説明】
【技術分野】
【０００１】
本発明は、遊技用装置に関する。詳しくは、遊技機での遊技に使用可能な遊技用価値を付与する遊技用装置に関する。
【背景技術】
【０００２】
従来、現金の受付に応じて加算された電子マネー、および、クレジットカードによる後払いによる決済に応じて加算された電子マネーを用いて、遊技媒体の貸出しに使用できるプリペイドカードの残高を加算できるシステムがあった（たとえば、特許文献１参照）。
【先行技術文献】
【特許文献】
【０００３】
【特許文献１】特開２００８−２７１１７号公報
【発明の概要】
【発明が解決しようとする課題】
【０００４】
しかし、特許文献１のシステムによれば、遊技者は、クレジットカードによる決済に応じて遊技を行なうことが可能となるので、手持ちの現金が少ない場合であっても遊技を行なうことができ、遊技にのめり込んでしまうという虞があった。このような虞を防止するために、現金の受付に応じて加算された電子マネーのみを特定可能な電子マネー対応カードのみを遊技に使用することが可能であるようにすると、利便性が低下してしまう。
【０００５】
この発明はかかる事情に鑑み考え出されたものであり、その目的は、遊技者が遊技にのめり込むのを防止しつつ利便性を向上させることが可能な遊技用装置を提供することである。
【課題を解決するための手段】
【０００６】
（１）  遊技機（たとえば、パチンコ遊技機、スロットマシン）での遊技に使用可能な遊技用価値を付与する（たとえば、遊技球，メダルなどの遊技媒体を払出す、遊技点を付与する）遊技用装置（たとえば、カードユニット）と、当該遊技用装置と通信可能な管理装置とを備える遊技用システムであって、
前記遊技用装置は、
電子マネーを特定可能な記録媒体を受付可能である記録媒体受付手段（たとえば、カードを挿入するタイプのカードリーダライタ、カードをかざすタイプのカードリーダライタ）と、
前記記録媒体受付手段によって受付けられた前記記録媒体から特定される電子マネーに基づいて遊技用価値の付与処理（たとえば、遊技媒体を払出す処理、遊技点を付与する処理）を実行可能である付与処理実行手段と、を備え、
前記電子マネーは、現金の受付に応じて加算される第１電子マネー（たとえば、現金でチャージされた遊技関連会社が発行／管理する電子マネーＡ，現金でチャージされた遊技関連会社以外が発行／管理する電子マネーＢ）と、現金の受付以外に応じて加算される第２電子マネー（たとえば、クレジットカードでチャージされた遊技関連会社以外が発行／管理する電子マネーＢ）とを含み、
前記記録媒体は、前記第１電子マネーを特定可能な第１記録媒体（たとえば、現金でチャージされた遊技関連会社が発行／管理する電子マネーＡを特定可能な電子マネーＡ対応カード５０２Ａ，携帯機器５０３）と、前記第１電子マネーと前記第２電子マネーとを特定可能な第２記録媒体（たとえば、現金またはクレジットカードでチャージされた遊技関連会社以外が発行／管理する電子マネーＢを特定可能な電子マネーＢ対応カード５０２Ｂ）とを含み、
前記付与処理実行手段は、
前記記録媒体受付手段によって受付けられた前記第１記録媒体から特定される第１電
子マネーに基づいて前記付与処理を実行可能であるとともに、
前記記録媒体受付手段によって受付けられた前記第２記録媒体から特定される第１電子マネーに基づいて前記付与処理を実行可能である一方、
前記記録媒体受付手段によって受付けられた前記第２記録媒体から特定される第２電子マネーに基づいて前記付与処理を実行不能であり（たとえば、図４参照）、
前記遊技用システムは、
前記付与処理の実行に伴って減算される第１電子マネーの単位額の設定として、
消費税を考慮しない場合に所定額に割り当てることのできる貸出遊技媒体数から消費税額相当数の貸出遊技媒体を減らした数を前記単位額に割り当てるとともに当該所定額を前記単位額に割り当てることで前記単位額に消費税が含まれるようにした第１設定と、
消費税を考慮しない場合に当該所定額に割り当てることのできる貸出遊技媒体数を前記単位額に割り当てるとともに当該所定額に消費税額を上乗せした額を前記単位額に割り当てることで前記単位額に消費税が含まれるようにした第２設定とのいずれか一方を設定可能な設定手段を備える。
【０００７】
このような構成によれば、遊技用価値の付与処理に用いることができ現金の受付に応じて加算される第１電子マネーを特定可能な第１記録媒体で特定される第１電子マネーに基づく付与処理が実行可能とされるだけでなく、第１電子マネーに加えて現金の受付以外に応じて加算され遊技用価値の付与処理に用いることができない第２電子マネーを特定可能な第２記録媒体から特定される第１電子マネーに基づく付与処理も実行可能とされる一方、第２記録媒体から特定される第２電子マネーに基づく付与処理は実行不能とされる。
【０００８】
このため、第２記録媒体から特定される第２電子マネーを遊技価値の付与処理に用いることができないようにしつつ、第１記録媒体から特定される第１電子マネーだけでなく第２記録媒体から特定される第１電子マネーも遊技用価値の付与処理に用いることができる。その結果、遊技者が遊技にのめり込むのを防止しつつ利便性を向上させることができる。
また、前記第１記録媒体は、遊技場に会員登録した会員遊技者に対して発行される遊技用記録媒体であり、遊技で獲得した遊技媒体の情報を特定可能である。
また、前記遊技用装置は、
前記第１記録媒体および前記第２記録媒体のいずれの記録媒体とも異なる第３記録媒体を貯留する貯留手段をさらに備え、
前記記録媒体受付手段で前記第１記録媒体または前記第２記録媒体を受付けたあとに、前記第１記録媒体または前記第２記録媒体から特定される第１電子マネーの金額を前記第３記録媒体から特定可能とするための処理を行い、当該第３記録媒体を排出する返却処理を実行可能である。
また、前記遊技用装置は、前記第１記録媒体および前記第２記録媒体のいずれが受付けられているかを報知する報知手段をさらに備える。
【０００９】
（２）  上記（１）の遊技用システムにおいて、
前記記録媒体受付手段によって前記第１記録媒体が受付られている場合に、遊技に使用されなかった遊技用価値および遊技により得られた遊技用価値を当該第１記録媒体から特定可能にするための特定可能化処理（たとえば、貯玉処理）を実行可能である特定可能化処理実行手段（たとえば、図１０参照）をさらに備える。
【００１０】
このような構成によれば、第１記録媒体から遊技用価値を特定可能とすることができる。その結果、第１記録媒体の利便性を向上させることができる。
【００１１】
（３）  上記（１）または（２）の遊技用システムにおいて、
前記記録媒体受付手段によって前記第２記録媒体が受付けられている場合に、当該第２記録媒体から特定される第１電子マネーと第２電子マネーとを特定可能な情報を表示する表示手段（たとえば、表示器３１２、図６（ｄ）参照）をさらに備える。
【００１２】
このような構成によれば、第２記録媒体から特定される第１電子マネーと第２電子マネーとを特定可能な情報を、遊技者に対して報知することができる。その結果、遊技者に対する利便性を向上させることができる。
【００１３】
（４）  上記（１）から（３）のいずれかの遊技用システムにおいて、
前記第１記録媒体から特定される第１電子マネーおよび前記第２記録媒体から特定される第１電子マネーを、現金の受付に応じて加算する加算処理を実行可能である加算処理実行手段（たとえば、図６参照）をさらに備える。
【００１４】
このような構成によれば、遊技用装置において第１記録媒体および第２記録媒体から特定される第１電子マネーを加算することができる。その結果、遊技者に対する利便性を向上させることができる。
【００１５】
（５）  上記（１）から（４）のいずれかの遊技用システムにおいて、
前記第２電子マネーは、現金の受付以外として金融機関への預金からの即時払いによる決済（たとえば、デビットカードによる決済）に応じて加算される。
【００１６】
このような構成によれば、第２記録媒体から特定される第２電子マネーを容易に加算することができる。その結果、第２記録媒体の利便性を向上させることができる。
【００１７】
（６）  上記（１）から（５）のいずれかの遊技用システムにおいて、
前記第２電子マネーは、現金の受付以外として後払いによる決済（たとえば、クレジットカードによる決済）に応じて加算される（たとえば、図４参照）。
【００１８】
このような構成によれば、第２記録媒体から特定される第２電子マネーを容易に加算することができる。その結果、第２記録媒体の利便性を向上させることができる。
【図面の簡単な説明】
【００１９】
【図１】カードユニットおよびパチンコ遊技機を示す正面図である。
【図２】カードユニットおよびパチンコ遊技機に用いられる制御回路を示すブロック図である。
【図３】本実施の形態に係る遊技用システムに電子決済システムを組み合わせた場合の概略図である。
【図４】本実施の形態における電子マネー対応カードの利用の態様を示す図である。
【図５】電子決済カードの会員登録する手順を示す概略図である。
【図６】ＣＵを用いて電子決済カードに電子マネーを入金する処理を説明するための概略図である。
【図７】電子決済カードにチャージされている電子マネーをＣＵに入金する処理を説明するための概略図である。
【図８】電子決済カードにチャージされている１００００円分の電子マネーをＣＵに入金した場合の処理を説明するための概略図である。
【図９】カード返却ボタンが押下された場合の処理について説明するための概略図である。
【図１０】電子決済カードの会員カードの機能を利用してサーバに問い合わせを行う処理を説明するための概略図である。
【図１１】一般カードが挿入されている場合に、決済ＩＤに基づいてサーバに問い合わせを行うことを可能にする処理を説明するための概略図である。
【発明を実施するための形態】
【００２０】
以下、図面を参照して本発明に係る実施の形態に係る管理システム、および端末装置を以下に説明する。
【００２１】
＜パチンコ遊技機の構成＞
まず、図１を参照して、本実施の形態に係るパチンコ遊技機の構成を説明する。遊技場（ホール）内に複数配置されている各遊技島（図示略）には、遊技機の一例の封入循環式パチンコ遊技機（以下、遊技機、パチンコ機またはＰ台と略称することもある）２が併設されている。なお、Ｐ台２の所定側の側方位置には、該Ｐ台２に対して遊技用装置の一例のカードユニット（以下ＣＵと略称することもある）３が１対１に対応設置されている。
【００２２】
Ｐ台２は、内部に遊技媒体の一例のパチンコ玉を封入しており、遊技者が打球操作ハンドル２５を操作することにより、発射モータ１８（図２参照）を駆動させて封入玉を１発ずつ遊技盤２６前面の遊技領域２７に打込んで遊技ができるように構成されている。
【００２３】
図１に示すＰ台２は、いわゆる第１種のパチンコ遊技機であって、遊技領域２７の中央に可変表示装置（特別図柄とも言う）２７８が設けられている。また、遊技領域２７には、打込まれたパチンコ玉が入賞可能な複数種類の入賞口が設けられている。図１に示す遊技領域２７には、１つの大入賞口（可変入賞球装置）２７１と、３つの普通入賞口２７２，２７３，２７４と、３つの始動入賞口２７５，２７６，２７７とが示されている。特に、始動入賞口２７６は、遊技者にとって有利な第１の状態（たとえば開成状態）と遊技者にとって不利な第２の状態（たとえば閉成状態）とに変化可能な電動チューリップで構成されている。
【００２４】
可変表示装置２７８は、複数種類の識別情報（図柄）を可変表示可能な可変表示部を備えており、各始動入賞口２７５，２７６，２７７に入賞した始動入賞玉の検出信号に基づいてそれらの複数種類の識別情報の可変表示を開始させる。可変表示装置の表示結果が特定の識別情報の組合せ（たとえばぞろ目）になると、大当り状態となり、大入賞口２７１が開放する。
【００２５】
また、可変表示装置２７８の表示結果が大当り図柄の組合せ（ぞろ目）のうちの予め定められた特別の識別情報の組合せ（たとえば７７７等の確変図柄の組合せ）となることにより、確変大当り状態が発生し、それに伴う大当り状態の終了後大当りの発生確率が向上した確率変動状態（確変状態）が発生する。
【００２６】
遊技領域２７内に打込まれたパチンコ玉はいずれかの入賞口に入賞するかあるいは入賞することなくアウト口１５４に回収される。いずれかの入賞口に入賞したパチンコ玉およびアウト口１５４に回収されたパチンコ玉は再度Ｐ台２内の回収経路を通って打球発射位置にまで還元される。そして、遊技者が打球操作ハンドル２５を操作することにより再びその打球発射位置のパチンコ玉が遊技領域２７内に打込まれる。
【００２７】
Ｐ台２は、ＣＵ３を側方位置に設置することでＣＵ３から伸びる表示器５４をＰ台２の前面に設けた接続面５４ａに嵌合させる。そのため、Ｐ台２における遊技領域２７の下方位置には、表示器５４が設けられている。表示器５４は、液晶表示装置で構成されており、持点やカード残額、あるいは可変表示装置２７８の表示と連動した様々な演出画像を遊技者に表示する。また、表示器５４は、裏面に設けた接続端子（図示せず）をＰ台２の接続面５４ａに設けた接続端子５４ｂに接続することでＰ台２に嵌合させている。
【００２８】
また、Ｐ台２の接続面５４ａの上方位置に遊技玉数を表示するための遊技玉数表示器が設けられている。遊技玉数表示器２９は、後述の払出制御部１７１によって制御される。この遊技玉数表示器２９により、後述する遊技玉数や発生したエラーのエラー番号等が表示される。
【００２９】
さらに、Ｐ台２における遊技玉数表示器２９の左方位置には、遊技玉から持玉への計数処理をするための計数ボタン２８が設けられている。本実施の形態では、計数ボタン２８を押下し続けた時間に応じて計数動作が繰返し実行される。なお、押下継続時間に関わらず、１度押下すると、所定数（たとえば１００玉）だけ遊技玉から持玉への計数が行なわれるようにしてもよく、あるいは、計数ボタン２８を１度押下した場合には、その押下時間にかかわらず（長押しか否かにかかわらず）、現在遊技者が所有している遊技玉のすべてが計数されるようにしてもよい。
【００３０】
Ｐ台２は、遊技領域２７の右上位置および左上位置に、可変表示装置２７８で表示される演出にあわせて再生する音楽データを出力するためのスピーカ２７０が設けてある。
【００３１】
本実施の形態に係るＰ台２は、遊技盤２６とそれ以外の前枠（遊技枠）５とに分けることができる。特に、遊技盤２６は、各社が開発するパチンコ遊技機の機種毎に異なるものである一方、前枠５は、機種に関わらず共通の共通枠とされている。このため、遊技店は新台入れ替えの際には遊技盤２６のみの交換で事足りる。
【００３２】
＜カードユニットの構成＞
次に、引続き図１を参照して、本実施の形態に係るＣＵ３の構成を説明する。このＣＵ３は、会員登録をしていない一般の遊技者に対して発行される遊技用記録媒体であるプリペイド機能を備えるビジターカード（一般カードとも言う）や、該遊技場に会員登録した会員遊技者に対して発行される遊技用記録媒体である会員カードを受付ける。ビジターカードや会員カードはＩＣカードで構成されている。
【００３３】
それらのカードを受付けたＣＵ３は、カードの記録情報により特定される遊技者所有の遊技価値（たとえばカード残額、持玉数、あるいは貯玉数等）を“遊技玉のデータ”に変換する機能を有する。Ｐ台２では、遊技玉のデータによって特定される玉数相当の弾球遊技が可能とされる。つまり、“遊技玉のデータ”とは、発射可能な玉の発射残数を示すデータである。以下の説明では、“遊技玉のデータ”を貯玉や持玉と同様に、単に“遊技玉”と称する。
【００３４】
ＣＵ３の前面側には、紙幣を挿入するための紙幣挿入口３０２、会員カードやビジターカードを挿入するためのカード挿入／排出口３０９などが設けられている。このカード挿入／排出口３０９に挿入された会員カードやビジターカードがカードリーダライタ（図２参照）に受付けられ、そのカードに記録されている情報が読取られる。
【００３５】
ＣＵ３の前面側には、表示器３１２と、会員カードを受付けた場合において、該会員カードに記録された会員カードＩＤ（単に、カードＩＤ、Ｃ-ＩＤとも言う）ならびに会員カードＩＤにより特定される貯玉数を用いた再プレイ遊技を実施するための再プレイボタン３１９とが設けられている。
【００３６】
表示器３１２は、挿入された遊技用記録媒体（カード）に記録されているプリペイド残額（カード残額または単に残額とも言う）を表示するものであるが、遊技玉数やその他の各種情報を表示可能であるとともに、表面が透明タッチパネルで構成されており、表示器３１２の表示部に表示された各種表示項目を指でタッチすることにより各種操作が入力可能となるように構成されている。
【００３７】
再プレイボタン３１９を操作した場合に、挿入されたカードに遊技者が獲得した持玉数が記録されているときにはその持玉数の一部を引落として遊技玉に変換し、変換した遊技玉に基づいてＰ台２による遊技を行なうことが可能となる。一方、挿入されたカードが会員カードであり持玉数が記録されておらずかつ貯玉がホール用管理コンピュータ等に記録されている場合には、その貯玉の一部が引落とされて遊技玉に変換され、Ｐ台２による遊技が可能となる。
【００３８】
ここで、「貯玉」とは、前日以前に獲得した玉でホールに預けている玉であり、貯玉払出により遊技玉となる。また、貯玉は、遊技場に預入れられた遊技媒体であり、一般的に当該遊技場に設置されたホール用管理コンピュータやその他の管理コンピュータにより管理される。
【００３９】
「持玉」とは、当日獲得した玉であり、持玉払出により遊技玉となる。また、持玉数は、遊技者が遊技機により遊技を行なった結果遊技者の所有となった遊技玉数をカードに記録したものであって、未だに遊技場に預入れられていない玉数のことである。一般的には、遊技場において当日遊技者が獲得した玉数を「持玉」と言い、前日以前に遊技者が獲得した玉数であって遊技場に預入れられた玉数を「貯玉」と言う。
【００４０】
「遊技玉」とは、遊技機で発射可能な玉である。遊技玉数のデータは、既に説明したとおり、プリペイドカードの残額、持玉、あるいは貯玉を引落とすことと引き換えにして生成される。
【００４１】
本実施形態では、貯玉データは会員カードに直接記録させずホール用管理コンピュータ等の遊技場に設置されたサーバに会員カード番号と対応付けて記憶させ、会員カード番号に基づいて対応する貯玉を検索できるように構成されている。一方、持玉は、カードに直接記録している。しかし、それに限定されるものではなく、両者ともにホールサーバ８０１にカード番号と対応付けて記憶させてもよい。ビジターカードの場合も、持玉は、ビジターカードに直接記録している。しかし、それに限定されるものではなく、持玉をホールサーバ８０１にカード番号と対応させて記憶させてもよい。このホールサーバ８０１にカード番号と対応させて記憶させる際に、ホールサーバ８０１に記憶させた時刻を特定できるデータをカード（会員カード、ビジターカード）に書込んで排出してもよい。また、プリペイド残額についてはカード（会員カード、ビジターカード）に直接書込んで排出する。しかし、これに限定されず、プリペイド残額をカード番号と対応させて、プリペイド残額を管理するための管理装置に記憶させてもよい。
【００４２】
なお、持玉を、カード（会員カード、ビジターカード）、またはホールサーバに記憶させるタイミングは、たとえば、計数ボタン２８が操作されて計数処理が行なわれる度にリアルタイムに記憶させる、一定周期ごとに記憶させる、またはカードを返却するときに一括して記憶させるなどのタイミングとすることが考えられる。
【００４３】
また、遊技者が遊技を終えてＣＵ３からカードを返却したときには、ＣＵ３に記憶していた持玉が一旦貯玉としてホールサーバ８０１に記憶されるようにし、その遊技者がカードの返却を受けた日と同じ日に再び同じまたは別のＣＵ３にカードを挿入したときには、一旦貯玉として記憶された当日分の持玉のみが再びそのＣＵ３に記憶され、その持玉の範囲で遊技玉を加算し、遊技できるようにしてもよい。
【００４４】
紙幣挿入口３０２に挿入された紙幣は、貨幣識別器（図示省略）により取込まれてその真贋や紙幣種別の識別がなされる。
【００４５】
ＣＵ３の前面側には、さらに、ＩＲ（Infrared）感光ユニット（ＩＲ受光ユニットとも言う）３２０と、玉貸ボタン（貸出ボタンとも言う）３２１と、カード返却ボタン３２２とが設けられている。ＩＲ感光ユニット３２０は、遊技場の係員が所持するリモコン（図示略）から赤外線信号を受信して電子信号に変換して出力するＩＲ感光ユニット３２０である。玉貸ボタン３２１は、挿入されたカードに記録されている残額を引落としてＰ台２による遊技に用いるための操作（遊技玉への変換操作）を行なうボタンである。カード返却ボタン３２２は、遊技者が遊技を終了するときに操作され、挿入されているカードに遊技終了時の確定した遊技玉数（カード挿入時の持玉数−遊技玉への変換数＋計数操作によって計数された持玉数）を記憶させて排出するための操作ボタンである。
【００４６】
ＣＵ３の前面側には、さらに、後述する電子決済システムで用いる電子決済カード５０２Ａを受付けるための電子マネー受付部３３０が設けられている。電子マネー受付部３３０は、電子決済カード５０２Ａに記録されている情報を読出し、書込むことが可能である。例えば、電子決済カード５０２ＡにはＩＣチップが搭載され、電子マネー受付部３３０は、近距離無線通信により当該ＩＣチップの情報を読出したり、当該ＩＣチップに情報を書込んだりする。なお、電子決済カード５０２Ａおよび電子マネー受付部３３０は、当該構成に限定されるものではなく、例えば、電子マネー受付部３３０は、電子決済カード５０２ＡのＩＣチップに対して電気的に接触させて当該ＩＣチップの情報を読出したり、当該ＩＣチップに情報を書込んだりしてもよい。また、以下で説明する電子マネー受付部３３０は、電子決済カード５０２Ａをかざすことで、電子決済カード５０２Ａに記録されている情報を読出し、書込むことができる。しかし、電子マネー受付部３３０は、当該構成に限定されるものではなく、例えば、電子決済カード５０２Ａに記録されている情報を読出し、書込む際に、電子決済カード５０２Ａを固定してもよい。電子決済カード５０２Ａを固定する方法として、電子マネー受付部３３０に挿入口を設け、当該挿入口に電子マネー受付部３３０を挿入して固定する方法、電子マネー受付部３３０に保持部材を設け、当該保持部材で電子マネー受付部３３０を固定する方法などがある。さらに、電子マネー受付部３３０は、電子決済カード５０２Ａに記録されている情報を読出し、書込む期間のみ電子決済カード５０２Ａを固定しても、遊技期間（例えば、返却操作が行われるまでの期間）、電子決済カード５０２Ａを固定してもよい。
【００４７】
＜カードユニットとパチンコ遊技機との構成＞
図２は、ＣＵ３とＰ台２との構成を示すブロック図である。図２を参照して、ＣＵ３とＰ台２との制御回路の概略を説明する。ＣＵ３には、マイクロコンピュータ等から構成されたＣＵ制御部３２３が設けられている。このＣＵ制御部３２３は、ＣＵ３の主制御機能部であり、制御中枢としてのＣＰＵ（Central Processing Unit）、ＣＰＵが動作するためのプログラムや制御データ等を記憶しているＲＯＭ（Read Only Memory）、ＣＰＵのワークエリアとして機能するＲＡＭ（Random Access Memory）、周辺機器との信号の整合性を保つための入出力インターフェイス等が設けられている。
【００４８】
ＣＵ制御部３２３には、ホール用管理コンピュータやセキュリティ上の管理を行なうホールサーバ８０１と通信を行なうための外部通信部（図示省略）が設けられている。ＣＵ制御部３２３には、Ｐ台２の払出制御基板１７とセキュリティを確保しながら通信を行なうためのセキュリティ基板（ＳＣ基板）３２５が接続される。セキュリティ基板３２５は、ＣＵ３のセキュリティ監視機能部である。なお、セキュリティ基板３２５上にＣＵ制御部３２３を設けてもよく、あるいは、セキュリティ基板３２５とは別の基板にＣＵ制御部３２３を設けてもよい。ＣＵ３にはＰ台２側への接続部（図示省略）が設けられており、Ｐ台２にはＣＵ３側への接続部（図示省略）が設けられている。これら接続部は、たとえばコネクタ等で構成されている。
【００４９】
ＣＵ３側のセキュリティ基板３２５とＰ台２側の払出制御基板１７とは、このコネクタと接続配線とを介して通信可能に接続される。セキュリティ基板３２５には、セキュリティ基板３２５と払出制御基板１７との通信を制御するための通信制御ＩＣ３２５ａと、Ｐ台２のセキュリティを監視するためのセキュリティチップ（ＳＣ）３２５ｂが設けられている。さらに、ＳＣ３２５ｂは、不正検知部１３２５を備え、不正検知部１３２５がＣＵ制御部３２３からＰ台２に通知される遊技玉の加算要求情報を監視することにより不正検知を行ない、不正検知時に鍵管理サーバ８００に通知する。また、不正検知用の設定値（定数）は鍵管理サーバ８００から基板制御情報として通知される。
【００５０】
ＣＵ制御部３２３には、前述した貨幣識別器により紙幣の真贋および種類が識別されて、その識別結果信号が入力される。また、ＣＵ制御部３２３には、遊技場の係員が所持しているリモコンから発せられた赤外線をＩＲ感光ユニット３２０が受光すれば、その受光信号が入力される。ＣＵ制御部３２３には、挿入されたカードの記録情報をカードリーダライタが読取って、その読取り情報が入力されるとともに、ＣＵ制御部３２３からカードリーダライタに対し、挿入されているカードに書込むデータが伝送されたときに、カードリーダライタはそのデータを挿入されているカードに書込む。カードの記録情報には、カードＩＤが含まれる。ＣＵ制御部３２３は、カードリーダライタが読み取ったカードＩＤを遊技終了まで記憶する。
【００５１】
ＣＵ制御部３２３は、遊技者が遊技している際、遊技者の持玉を管理・記憶する。ＣＵ制御部３２３から残額あるいは遊技玉数等のデータが表示制御部３５０に出力され、表示制御部３５０で表示用データに変換される。ＣＵ３の前面に設けられる表示器３１２および図１に示すようにＰ台２の前面に配置されている表示器５４に対し、表示制御部３５０で変換した表示用データが送信される。なお、表示器５４に送信される表示用データは、まず中継基板１４に入力される。表示器３１２および表示器５４には、その表示用データに応じた画像が表示される。また、表示器３１２の表面に設けられているタッチパネルを遊技者が操作すれば、その操作信号が表示制御部３５０を介してＣＵ制御部３２３に入力される。遊技者が玉貸ボタン３２１を操作することにより、その操作信号がＣＵ制御部３２３に入力される。なお、玉貸ボタン３２１は、ＣＵ３に設ける構成に限定されるものではなく、Ｐ台２に設けて操作信号をＣＵ制御部３２３に入力する構成であっても良い。遊技者が再プレイボタン３１９を操作することによりその操作信号がＣＵ制御部３２３に入力される。遊技者がカード返却ボタン３２２を操作することによりその操作信号がＣＵ制御部３２３に入力される。
【００５２】
ＣＵ制御部３２３は、電子マネー受付部３３０およびカードリーダライタ３３１と接続され、電子マネー受付部３３０およびカードリーダライタ３３１の動作の制御を行っている。電子マネー受付部３３０に電子決済カード５０２Ａをかざすと、電子決済カード５０２Ａに記録されている情報を電子マネー受付部３３０で読出してＣＵ制御部３２３に入力し、電子決済カード５０２Ａに書込む情報をＣＵ制御部３２３が出力する。具体的に、電子マネー受付部３３０は、電子決済カード５０２Ａに記録されている認証鍵と、ＣＵ制御部３２３に記憶されている認証鍵とに基づく認証処理により通信が許可された場合に、電子決済カード５０２Ａに記録されている電子マネーＡの金額の情報を読出したり、書込んだりすることができる。また、電子決済カード５０２Ａは、電子マネーＡの金額の情報が直接に記録されておらず、ＣＵ制御部３２３と通信可能なサーバに記憶されている電子マネーＡの金額の情報にアクセス可能なＩＤ情報が記録されている場合でもよい。電子決済カード５０２Ａに当該ＩＤ情報のみが記録されている場合、電子マネー受付部３３０は、ＩＤ情報を電子決済カード５０２Ａから読出し、読出したＩＤ情報を用いてＣＵ制御部３２３がサーバにアクセスすることで、電子決済カード５０２Ａの電子マネーＡの金額の情報を特定することができる。
【００５３】
カードリーダライタ３３１は、会員カードまたは一般カードから情報を読取ったり、会員カードまたは一般カードに情報を書込むための装置である。カードリーダライタ３３１が読取ったカードに記録されている情報は、ＣＵ制御部３２３に入力され、カードに書込む情報はＣＵ制御部３２３から出力される。なお、遊技者がカード挿入／排出口３０９にカードを挿入することなく入金操作（例えば、現金による入金、電子決済カード５０２Ａの電子マネーＡによる入金など）により遊技を開始している場合に、遊技に使用しなかった残額や残った持玉は、ＣＵ３に予め格納されているストックカード３３２に記録して一般カードとして返却することも可能である。もちろん、電子マネー受付部３３０に電子決済カード５０２Ａをかざして、遊技に使用しなかった残額や残った持玉を電子決済カード５０２Ａに記録してもよい。
【００５４】
Ｐ台２には、Ｐ台２の遊技の進行制御を行なう主制御基板１６と、遊技玉を管理・記憶する払出制御基板１７と、払出制御基板１７の指令に基づいて発射モータ１８を駆動制御する発射制御基板３１と、可変表示装置２７８と、主制御基板１６から送信されてくるコマンドに基づいて可変表示装置２７８を表示制御する演出制御基板１５とが備えられている。
【００５５】
主制御基板１６および演出制御基板１５は、遊技盤２６に設けてある。主制御基板１６には主制御部１６１である遊技制御用マイクロコンピュータが搭載されている。主制御部１６１は、遊技機の主制御機能部である。遊技機制御用マイクロコンピュータは、制御中枢としてのＣＰＵ（Central Processing Unit）、ＣＰＵが動作するためのプログラムや制御データ等を記憶しているＲＯＭ（Read Only Memory）、ＣＰＵのワークエリアとして機能するＲＡＭ（Random Access Memory）、周辺機器との信号の整合性を保つための入出力インターフェイス等が設けられている。主制御部１６１は、遊技盤２６に設けられている入賞センサ１６２、および電波センサ１６３と接続してある。
【００５６】
主制御部１６１は、各始動入賞口２７５，２７６，２７７に玉が入賞すると、大当り（あるいはさらに小当りを含む）／外れを決定するための乱数を抽選し、その乱数を記憶する。これを保留記憶という。保留記憶数の最大値は、たとえば、「４」である。主制御部１６１は、可変表示装置２７８で新たな可変表示を開始できる状態になれば、保留記憶を１つ消化してその保留記憶に基づいた大当り判定を行なうとともに可変開始から表示結果の導出に至るまでの可変表示時間を複数種類の中から決定する。また、大当りを決定したときには、確率変動を生じさせるか否かも併せて決定する。主制御部１６１は、その大当り判定の結果（確変にするか否かを含む）、および可変表示時間に関する情報をコマンドとして演出制御基板１５に搭載された演出制御部１５１へ送信する。
【００５７】
主制御部１６１から演出制御部１５１へ送信される可変表示に関するコマンドには、可変表示の開始を示す可変開始コマンド、可変表示の結果を示す表示結果コマンド（大当り／外れ）、可変表示パターンを特定可能な可変表示時間コマンド、可変表示結果を導出表示させるタイミングを示す可変停止コマンドなどが含まれる。さらに、主制御部１６１から演出制御部１５１へ送信されるコマンドには、大当り中に大当りの進行状況を特定可能なコマンドや、新たな保留記憶の発生を示すコマンド、遊技状態のエラーの発生を示すコマンドなどがある。
【００５８】
演出制御部１５１は、主制御部１６１から送信されてくるこれらのコマンドに基づいて可変表示装置２７８の可変表示内容を決定する。たとえば、演出制御部１５１は、主制御部１６１から送信されてくるコマンドに基づいて可変表示結果および可変表示時間を特定し、停止図柄を決定するとともに可変表示パターン（リーチの有無、リーチの種類）を決定し、さらには大当りやリーチに関する予告演出の演出パターンを決定する。演出制御部１５１は、決定した可変表示内容に従って可変表示装置２７８を表示制御する。
【００５９】
演出制御基板１５は、ＣＵ３の中継基板１４を介して、表示器５４とも接続されている。演出制御部１５１は、可変表示装置２７８に対して可変表示等のための表示制御信号を送信するとともに、可変表示装置２７８の表示と連動する表示を行なうための表示制御信号を表示器５４へ送信可能である。
【００６０】
払出制御基板１７は、前枠５に設けてある。払出制御基板１７には、払出制御部１７１である払出制御用マイクロコンピュータが搭載されている。払出制御部１７１は、遊技機の払出制御機能部である。払出制御用マイクロコンピュータは、遊技制御用マイクロコンピュータと同様の構成である。
【００６１】
また、払出制御基板１７に対し、発射玉検出スイッチ９０３、アウト玉検出スイッチ７０１、ファール玉検出スイッチ３３Ａ、計数ボタン２８、電波センサ１７３が電気的に接続された状態で設けられている。この電波センサ１７３は、電波を不正に発信して主に玉上げスイッチ（上）４１ａを常時オン状態にする不正行為を検知するためのものである。この電波センサ１７３の検出信号が払出制御基板１７の入力ポート（図示省略）を介して払出制御部１７１へ入力される。玉上げスイッチ（上）４１ａは、オンからオフに変化したことにより遊技玉の発射を検出し、その検知に基づいて、払出制御部１７１が、遊技玉数を「１」減算する。
【００６２】
したがって、不正電波によりこの玉上げスイッチ（上）４１ａが常時オン状態になると、いくら玉を発射しても遊技玉数が減算されない状態となる。このような電波による不正を電波センサ１７３により検知する。
【００６３】
主制御基板１６から払出制御基板１７に対し、主制御チップＩＤ、入賞口情報、ラウンド情報、接続確認信号、入賞検出信号、始動入賞口入賞情報、エラー情報、図柄確定回数、大当り情報、メーカ固有大当りの情報が送信される。
【００６４】
主制御チップＩＤ（メインチップＩＤとも言う）は、Ｐ台２の主制御基板１６に記録されているチップＩＤのことであり、Ｐ台２の電源投入時に払出制御基板１７に対して送信される情報である。入賞口情報は、入賞口の種類（始動入賞口、普通入賞口、大入賞口）と、賞球数（入賞口に遊技玉が入ったときの払出玉数）とを含む情報であり、Ｐ台２の電源投入時に払出制御基板１７に対して送信される。ラウンド情報は、大当りしたときのラウンド数の情報であり、Ｐ台２の電源投入時に払出制御基板１７に対して送信される。
【００６５】
接続確認信号は、主制御基板１６と払出制御基板１７とが接続されていることを確認するための信号であり、主制御基板１６から払出制御基板１７へ所定の電圧の信号が常時供給されており、払出制御基板１７がその所定電圧信号を受信していることを条件として払出制御基板１７が動作制御するように構成されている。入賞検出信号は、始動入賞口以外の入賞口に入賞したパチンコ玉の検出信号である。この検出信号を受けた払出制御基板１７は、その入賞玉１個に対して付与すべき玉数を、遊技玉数と加算玉数とに加算する制御を行なう。
【００６６】
始動入賞口入賞情報とは、始動入賞口のいずれかにパチンコ玉が入賞したことを示す情報である。エラー情報とは、主制御基板１６が遊技制御を行なっている最中にエラーが発生した場合にその旨を払出制御基板１７へ通知するための情報である。図柄確定回数とは、各始動入賞口への入賞に対する可変表示装置の表示結果として確定した図柄の情報である。
【００６７】
大当り情報とは、大当りが発生したことを示す情報であり、その内訳は、各メーカ共通の大当りを示す共通大当り情報とメーカ固有の大当りを示すメーカ固有大当り情報とがある。共通大当り情報は、たとえば１５ラウンド大当り等のように、各遊技機メーカが共通に採用している大当りであり、その大当りに伴って確変が発生する場合には確変情報を含み、その大当りに伴って時短状態（可変表示装置の可変表示時間を短縮する制御状態）が発生する場合にはその時短情報を含んでいる。メーカ固有大当りとは、たとえば突然確変（突確）のような、或る遊技機メーカのみが採用している大当り状態のことである。
【００６８】
払出制御基板１７から主制御基板１６へ、ヘルスチェックコマンドと賞球個数受付コマンドとが送信される。ヘルスチェックコマンドとは、主制御基板１６が正常に動作しているか否かをチェックするためのコマンドである。賞球個数受付コマンドとは、加算玉数を受付けた旨を示すコマンドである。
【００６９】
アウト玉検出スイッチ７０１から払出制御基板１７へアウト玉検出信号が入力される。このアウト玉検出信号が入力された払出制御基板１７は、後述するように遊技中玉数（遊技領域２７に浮遊している浮遊玉の玉数）を減算更新する。ファール玉検出スイッチ３３Ａからファール玉検出信号が入力された払出制御基板１７では、後述するように、加算玉数と遊技玉数とを加算更新するとともに、遊技中玉数を減算更新する。発射玉検出スイッチ９０３から払出制御基板１７へ発射玉検出信号が入力される。この発射玉検出信号が入力された払出制御基板１７は、遊技中玉数を減算更新する。
【００７０】
ＣＵ３のセキュリティ基板３２５とＰ台２の払出制御基板１７とが電気的に接続されており、セキュリティ基板３２５から払出制御基板１７へ、後述するように各種コマンドが送信される。逆に、払出制御基板１７からセキュリティ基板３２５へ、後述するように各種レスポンスが送信される。
【００７１】
前枠５には、払出制御基板１７の他、発射制御基板３１、発射モータ１８、遊技玉数表示器２９が設けられている。払出制御基板１７の払出制御部１７１は遊技玉数表示器２９に遊技者が現在所有している遊技玉数を表示する。
【００７２】
払出制御基板１７から発射制御基板３１へ、発射制御信号と発射許可信号とが出力される。それを受けた発射制御基板３１は、発射装置の発射モータ１８を励磁するための信号を出力する。これにより、パチンコ玉が遊技領域２７へ弾発発射される状態となる。発射制御基板３１は、遊技者が打球操作ハンドル２５に触れていることを検出するタッチリングの入力信号が入力されているときに発射モータ励磁出力を発し、発射モータ１８を駆動させる。
【００７３】
発射強度センサ１９は、発射モータ１８によるパチンコ玉の発射強度Ｔを検出する。発射強度センサ１９の検出結果は、発射制御基板３１経由で払出制御基板１７およびＣＵ３に出力される。
【００７４】
Ｐ台２の前面には、ＣＵ３から伸びた表示器５４および中継基板１４が設けられている。表示器５４は、中継基板１４を介してＣＵ３の表示制御部３５０からの表示データ（表示制御信号）を受信する。さらに、表示器５４は、中継基板１４を介して演出制御基板１５からの表示データ（表示制御信号）を受信する。
【００７５】
中継基板１４には演出制御基板１５および表示制御部３５０のうち一方からの表示制御信号を表示器５４へ出力して表示器５４に演出制御基板１５または表示制御部３５０からの表示制御信号に基づく画像を表示するための切換回路１４１が搭載されている。
【００７６】
ＲＡＭクリアスイッチ２９３は、Ｐ台２のＲＡＭに記憶している遊技台情報や遊技情報を消去するためのスイッチであり、Ｐ台がエラー状態となった後当該スイッチを店員が操作することで初期状態に戻すことが可能となる。このＲＡＭクリアスイッチ２９３は、たとえばカードが排出された後に店員により操作される。
【００７７】
＜電子決済システム＞
本実施の形態に係る遊技用システムでは、電子マネーＡなどを用いた電子決済システムを組み合わせることができる。なお、以下に記載する電子決済システムは、封入循環式パチンコ機（Ｐ台２）、メダル不要のスロットマシン（Ｓ台２Ｓ）の遊技用システムに限定されるのではなく、パチンコ玉が払出されるパチンコ遊技機、メダルが払出されるスロットマシンなどの遊技機にも適用することができる。図３は、本実施の形態に係る遊技用システムに電子決済システムを組み合わせた場合の概略図である。図３に示す電子決済システムを組み合わせた遊技用システムでは、前述した会員カードや一般カードの他に電子決済カード５０２Ａの電子マネーＡを用いてＣＵ３に入金することができる。なお、電子決済システムでは、電子決済カード５０２Ａ以外に、電子決済機能（電子マネーＡを用いた決済など）を有する携帯機器（例えばスマートフォンなど）や他の機器（例えば、時計など）などを利用することも可能である。以下の説明では、電子決済カード５０２Ａを例に説明するが、電子決済機能を有する携帯機器や他の機器などで代用することも可能である。
【００７８】
電子決済カード５０２Ａは、登録した会員の情報、入金した電子マネーＡの金額の情報などを記録させるＩＣチップを含んでおり、決済端末（例えば、遊技用装置や店舗のレジなど）で当該ＩＣチップから情報を読み出し、情報を書き込むことが可能である。決済端末がＩＣチップから情報を読み出し、情報を書き込む方式は、接触または非接触のいずれの方式でもよい。また、電子決済カード５０２Ａ自体に電子マネーＡの金額を記録させる場合に限定されず、電子マネーＡの金額の情報はサーバなどに記憶させておき、当該記憶と関連付けられた情報（例えば、カードＩＤ、記憶領域を示すアドレスなど）を電子決済カード５０２Ａに記録しておいてもよい。つまり、電子決済カード５０２Ａは、電子マネーＡの金額を特定可能な情報（例えば、カードＩＤ、電子マネーＡの金額など）が記録された記録媒体であればよい。
【００７９】
まず、電子決済カード５０２Ａを利用する場合、会員登録を行い新たにカードを発行する必要がある。以下の会員登録では、新たにホールの会員となるとともに電子決済カード５０２Ａの会員登録を行うことで、複数のホールで使用することができる共通の会員カードの機能を有する電子決済カード５０２Ａを発行する場合について説明する。なお、共通の会員カードではなく、一店舗しか使用できない会員カードの機能を有する電子決済カード５０２Ａとして発行することも可能である。ここで、会員登録には、既に会員登録している電子決済カード５０２Ａに新たにホールの会員登録を追加する登録、既にホールの会員登録しているカードに電子決済カード５０２Ａの会員登録を追加する登録、登録したホールとは別のホールの会員登録を追加する登録などの様々な登録の種類が考えられる。
【００８０】
ホール５００には、会員登録が未登録の電子決済カード５０２Ａが予め用意されており、電子決済カード５０２Ａに記録された決済ＩＤ（Ｋ−ＩＤ）のみが電子マネーＡ決済管理センタ６００Ａのサーバ６０１に予め記憶してある。ホール５００などに設置されている会員登録機５０１で未登録の電子決済カード５０２Ａを読取り会員登録を開始する。会員登録の際には、身分証（例えば、自動車運転免許証など）が必要となる。詳しい会員登録の方法については後述する。
【００８１】
登録した会員情報（例えば、氏名、性別、住所、電話番号など）は、会員登録機５０１から無線機器（例えば、無線ルータ（ＲＴ）など）を介してホール５００内のサーバに送信され、さらにホール５００外の会員登録情報サーバ７００に送信される。会員登録情報サーバ７００に送信された会員情報は、会員情報サーバ７０３に記憶される。会員登録情報サーバ７００には、会員情報を記憶する会員情報サーバ７０３と、決済ＩＤに対するホールの会員番号を照会したり、会員番号を発番したりする発番情報サーバ７０２とを有している。なお、複数のホールを運営している企業などの場合、ホール５００外に会員登録情報サーバ７００を設け複数のホールからの会員情報を一括で管理している。そのため、ホール５００内のサーバで会員情報を記憶するとともに、会員登録情報サーバ７００でも記憶されている。もちろん、ホール５００外に会員登録情報サーバ７００を設けず、ホール５００内のサーバで会員情報を管理してもよい。また、ホール５００外の会員登録情報サーバ７００で会員情報を管理する場合は、ホール５００内のサーバで会員情報を記憶しないようにしてもよい。
【００８２】
一方、登録した会員情報は、ネットワークを介して電子マネーＡ決済管理センタ６００Ａに送信される。電子マネーＡ決済管理センタ６００Ａに送信された会員情報は、サーバ６０１に記憶される。サーバ６０１は、会員情報を記憶するとともに、後述する決済情報などのマネー管理情報も記憶している。電子マネーＡ決済管理センタ６００Ａでは、予め記憶してある決済ＩＤに対応して登録した会員情報が記憶される。電子マネーＡ決済管理センタ６００Ａでは、会員情報が登録された電子決済カード５０２Ａに対して電子マネーＡの利用を許可する。携帯機器５０３についても電子決済カード５０２Ａと同様に会員登録を行うことができる。
【００８３】
本実施の形態においては、電子決済カード５０２Ａは、主に、遊技媒体（遊技球、メダル）の貸与に用いられる。このため、電子決済カード（以下「電子マネーＡ対応カード」ともいう）５０２Ａは、遊技関連会社（たとえば、遊技用システム製造販売会社、遊技機製造販売会社）が発行および管理する。これに対し、電子マネーＢ対応カード５０２Ｂは、遊技関連会社以外の会社（たとえば、金融機関、クレジットカード会社、電子マネーサービス会社）が発行および管理する。
【００８４】
電子マネーＡ対応カード５０２Ａおよび電子マネーＢ対応カード５０２Ｂで特定される電子マネーを区別する場合は、それぞれ、「電子マネーＡ」および「電子マネーＢ」といい、区別しない場合は、単に「電子マネー」という。また、電子マネーＡ対応カード５０２Ａと電子マネーＢ対応カード５０２Ｂとを区別しない場合は、電子マネー対応カード５０２という。
【００８５】
電子マネーＡ対応カード５０２Ａおよび電子マネーＡは、上述したように電子マネーＡ決済管理センタ６００Ａによって管理される。一方、電子マネーＢ対応カードおよび電子マネーＢは、電子マネーＢ決済管理センタ６００Ｂによって管理される。
【００８６】
図４は、本実施の形態における電子マネー対応カードの利用の態様を示す図である。図４を参照して、電子マネーＡ対応カード５０２Ａへの電子マネーＡのチャージ（加算、積み増し）は、現金による決済でのみ実行可能とされる。電子マネーＢ対応カード５０２Ｂへの電子マネーＢのチャージは、現金またはクレジットカードによる決済で可能とされる。電子マネーＢのチャージのクレジットカードによる決済は、前述した決済端末５２０，５３０などのチャージが可能な装置でチャージの対価をクレジットカードで支払うことで可能であるし、インターネットを介してクレジットカードの番号を入力してチャージの対価を支払うことでも可能である。なお、電子マネーＡ対応カード５０２Ａへの電子マネーＡのチャージ、および、電子マネーＢ対応カード５０２Ｂへの電子マネーＢのチャージは、金融機関への預金からの即時払いによる決済（いわゆるデビットカードによる決済）で可能とされるようにしてもよい。
【００８７】
電子マネーＡ対応カード５０２Ａにおいては、チャージされている電子マネーＡを特定可能な情報は、前述した当該カードのＩＣチップに設けられるＲＡＭの一部である現金決済電子マネー記憶領域５２１Ａに記録される。電子マネーＢ対応カード５０２Ｂにおいては、チャージされている電子マネーＢのうち、現金で決済された電子マネーＢを特定可能な情報は、当該カードのＩＣチップのＲＡＭの現金決済電子マネー記憶領域５２１Ｂに記録され、クレジットカードにより決済された電子マネーＢを特定可能な情報は、当該カードのＩＣチップのＲＡＭのクレジット決済電子マネー記憶領域５２２Ｂに記録される。
【００８８】
電子マネーＡ対応カード５０２Ａおよび電子マネーＢ対応カード５０２Ｂは、詳しくは後述するが、それぞれ、ホール５００内のＣＵ３および電子マネー端末装置５９０Ａ（たとえば、自動販売機５０７など）、ならびに、ホール５００外の電子マネー端末装置５９０Ｂ（たとえば、決済端末５２０，５３０、食券機５４０など）で利用することができる。
【００８９】
なお、電子マネーＡ対応カード５０２Ａは、ホール５００の会員カードの機能（後述するように、たとえば持玉や貯玉による再プレイなどの機能）を付加することは可能とされるが、電子マネーＢ対応カード５０２Ｂは、ホール５００の会員カードの機能を付加することは可能とされていない。これは、電子マネーＢ対応カード５０２Ｂが遊技関連会社以外が発行するものであり元々遊技に用いられることを前提とされていないため、電子マネーＢ対応カード５０２Ｂの前述のＩＣチップのＲＡＭに、会員カードの機能を付加するための記憶領域などが設けられていないためである。
【００９０】
次に、ホール５００での電子決済カード５０２Ａの利用について説明する。なお、ここでは、電子決済カード５０２Ａの利用について説明するが、利用できないと特記している場合を除き、電子マネーＢ対応カード５０２Ｂも同様に利用することができる。まず、遊技用装置であるＣＵ３での利用として、電子決済カード５０２Ａへの入金（チャージ）（ＣＵ３で貨幣が受付けられることに応じた電子決済カードＡへの入金であってもよいし、ビジターカードに対応付けられた貨幣から電子決済カードＡへの入金であってもよい）、電子決済カード５０２ＡからＣＵ３への入金（電子マネー決済カード５０２Ａの電子マネーＡに対応する貨幣のビジターカードへの対応付け）、持玉の管理、貯玉の管理などの利用がある。電子決済カード５０２Ａへの入金など遊技に使用する以外の決済情報は、ネットワークを介して電子マネーＡ決済管理センタ６００Ａに送信され記憶される。一方、遊技に使用するため電子決済カード５０２Ａの電子マネーＡの金額を減算する決済情報（減算の決済情報）は、通信ボックス５０４（Ｔ−ＢＯＸ）を介して遊技決済センタ８２０に送信される。遊技決済センタ８２０に送信された減算の決済情報は、サーバ８２１に記憶される。サーバ８２１は、減算の決済情報を記憶するとともに、通信ボックス５０４を介してホール５００から送信されてくる遊技機の制御・運用情報も記憶している。遊技決済センタ８２０では、ホールの遊技に利用された決済情報を管理し、ホール内の決済情報をネットワークを介して電子マネーＡ決済管理センタ６００Ａに送信する。なお、ホール５００内での持玉の管理や貯玉の管理に関する情報は、ホール５００内のサーバで管理されている。
【００９１】
次に、プリペイドカード精算機５０５で電子決済カード５０２Ａが利用できる（プリカ精算）。従来、プリペイドカード（既存プリカ）を購入して遊技を行い、遊技終了後に残額をプリペイドカード精算機５０５で精算し、小銭など返却していた。しかし、電子決済カード５０２Ａを用いることで、プリペイドカード精算機５０５は、プリペイドカードの残額を小銭ではなく、電子決済カード５０２Ａで精算することができる。電子決済カード５０２Ａで電子マネーＡの決済情報は、ネットワークを介して電子マネーＡ決済管理センタ６００Ａに送信される。
【００９２】
次に、景品交換時に電子決済カード５０２Ａを利用できる。電子決済カード５０２Ａは、会員カードの機能として遊技で獲得した持玉を記録（ここでは、カードに記録された決済ＩＤなどの番号に対応付けて持玉や貯玉を管理するコンピュータ等の管理装置に持玉の数を記憶させることであるが、持玉の数をカードに直接、記録するようにしてもよい。）することも可能で、記録している持玉を景品交換端末５０６のリーダで読み取り、遊技者が希望する景品と交換する。景品と交換した情報は、景品交換端末５０６からＰＯＳ端末に送信されホール５００内のサーバに送信される。なお、電子マネーＢ対応カード５０２Ｂは、前述したようにＩＣチップのＲＡＭに会員カードの機能を付加するための記憶領域などが設けられていないため、会員カードの機能として遊技で獲得した持玉を特定可能とすることはできない。また、遊技者が希望する景品が必要とする持玉に対して、記録している持玉が少ないとき、景品交換に必要な持玉と記録している持玉との差玉を金額換算して電子決済カード５０２Ａに記録してある残額から差し引くこともできる。この時、電子決済カード５０２Ａで消費した電子マネーＡの決済情報は、ネットワークを介して電子マネーＡ決済管理センタ６００Ａに送信される。なお、ＰＯＳとは、景品管理システムのことであり、景品交換や景品の管理を行なうものである。また、ＰＯＳは、景品交換や景品の管理を行なうものに限定されず、店舗で商品を販売するごとに商品の販売情報を記録し、集計結果を在庫管理やマーケティング材料として用いる一般的な販売時点管理（Point Of Sales system）であってもよい。
【００９３】
次に、ホール内の自動販売機５０７で電子決済カード５０２Ａが利用できる。自動販売機５０７に電子決済カード５０２Ａのリーダが取り付けてあり、購入したい商品（例えば、缶コーヒー）ボタンを押下した後の一定期間に電子決済カード５０２Ａをリーダにかざすことで、商品の代金が電子決済カード５０２Ａの残額から引き落とされ、商品購入の決済を行うことができる。商品購入の決済情報は、ネットワークを介して電子マネーＡ決済管理センタ６００Ａに送信される。
【００９４】
次に、ホール５００外での電子決済カード５０２Ａの利用について説明する。なお、ここでは、電子決済カード５０２Ａの利用について説明するが、電子マネーＢ対応カード５０２Ｂも同様に利用することができる。また、電子決済カード５０２Ａはホール５００外で利用できないようにしてよい。
【００９５】
飲食店などの食券機５４０で電子決済カード５０２Ａが利用できる。食券機５４０に電子決済カード５０２Ａのリーダが取り付けてあり、購入したい食券ボタンを押下した後の一定期間に電子決済カード５０２Ａをリーダにかざすことで、食券の代金が電子決済カード５０２Ａの残額から引き落とされ、食券を購入することができる。食券購入の決済情報は、ネットワークを介して電子マネーＡ決済管理センタ６００Ａに送信される。
【００９６】
次に、店舗での決済端末５２０で電子決済カード５０２Ａが利用できる。書店などの店舗に設置された決済端末５２０で電子決済カード５０２Ａが利用できる。店員が決済端末５２０に購入金額を入力し、電子決済カード５０２Ａを決済端末５２０のリーダにかざすことで、商品の購入代金が電子決済カード５０２Ａの残額から引き落とされ、商品を購入することができる。商品購入の決済情報は、ネットワークを介して電子マネーＡ決済管理センタ６００Ａに送信される。
【００９７】
次に、コンビニ店の決済端末５３０で電子決済カード５０２Ａが利用できる。コンビニ店のレジに電子決済カード５０２Ａの決済端末５３０が内蔵されており、購入した商品の代金を支払う際に電子決済カード５０２Ａを選択した場合、店員が決済方法を電子決済カード５０２Ａにして、電子決済カード５０２Ａをリーダにかざすことで、商品の購入代金が電子決済カード５０２Ａの残額から引き落とされ、商品を購入することができる。商品購入の決済情報は、店舗サーバ５３１、コンビニ本部サーバ５３２を経てネットワークを介して電子マネーＡ決済管理センタ６００Ａに送信される。なお、コンビニ店の決済端末５３０では、電子決済カード５０２Ａへの入金（チャージ）が可能である。電子決済カード５０２Ａへ入金した決済情報も、店舗サーバ５３１、コンビニ本部サーバ６３２を経てネットワークを介して電子マネーＡ決済管理センタ６００Ａに送信される。
【００９８】
遊技決済センタ８２０は、各ホールでの決済情報を記憶するとともに、決済処理の制御・運転情報についてもサーバ８２１で記憶する。遊技決済センタ８２０は、電子マネーＡ決済管理センタ６００Ａに接続されるとともに、基幹システム８１０とも接続されている。基幹システム８１０は、ホールの加盟店情報、請求情報などを記憶するサーバ８１１を有している。なお、本実施の形態では、電子マネーＡ決済管理センタ６００Ａ、遊技決済センタ８２０および基幹システム８１０をそれぞれ独立に設ける構成について説明したが、一つのセンタにまとめても、一つのセンタ内に複数のサーバを設けて構成してもよい。
【００９９】
＜会員登録＞
図５は、電子決済カード５０２Ａの会員登録する手順を示す概略図である。図５を用いて新規に会員登録する場合の手順について説明する。なお、電子マネーＢ対応カード５０２Ｂの会員登録は、一般的な電子マネーの会員登録と同様であるので、ここでは特に説明しない。
【０１００】
電子決済カード５０２Ａの会員登録は、会員登録機５０１を用いて行う。会員登録機５０１は、ホール５００のカウンタなどに設置されており、会員登録を希望する遊技者が操作して会員登録を行う端末である。会員登録機５０１は、例えば７インチ液晶を搭載したタブレット型の携帯端末で、遊技者はタッチペンなどを利用して会員登録に必要な情報を入力する。また、会員登録機５０１は、表示画面の裏面に電子決済カード５０２Ａから情報を読取ったり、書込んだりすることができるリードライタ部（図示せず）を有しており、例えば電子決済カード５０２Ａを当該リードライタ部にかざすと電子マネーＡの金額や決済ＩＤを読み出すことができる。さらに、会員登録機５０１は、表示画面の裏面にカメラ（図示せず）が内蔵されており、身分証を撮影することができる。
【０１０１】
まず、図５（ａ）に示す会員登録機５０１では、会員登録メニューとして「新規会員登録をされる方」、「他店で会員登録済みの方」、「登録内容を変更されたい方」、「再発行される方」、「退会される方」の選択ボタンが画面に表示されている。新規に会員登録を希望する遊技者は、会員登録メニューから「新規会員登録をされる方」を選択する。
【０１０２】
「新規会員登録をされる方」のメニューを選択すると図５（ｂ）に示す「カードまたは携帯読取」ページに進む。「カードまたは携帯読取」ページでは、電子決済カード５０２Ａまたは携帯端末をリードライタ部（Ｒ／Ｗ部）にかざすことを促すメッセージが表示され、電子決済カード５０２Ａまたは携帯端末をリードライタ部にかざすことで電子決済カード５０２Ａまたは携帯端末の決済ＩＤを読取ることができ、会員登録機５０１の表示画面に読取った決済ＩＤが表示される。なお、新規で会員登録を行う場合、未登録の電子決済カード５０２Ａまたは専用アプリをダウンロードした携帯機器５０３を準備しておく必要がある。また、会員登録機５０１は、読取った決済ＩＤが正規のＩＤか否かを確認するために電子マネーＡ決済管理センタ６００Ａに読取った決済ＩＤを照会する。会員登録機５０１は、電子マネーＡ決済管理センタ６００Ａで照会した結果、問題ない場合に「次へ」の選択ボタンを選択可能にする。
【０１０３】
遊技者が、「次へ」の選択ボタンを選択すると図５（ｃ）に示す「利用約款」ページに進む。会員登録機５０１は、会員登録の際に同意が必要な利用約款を画面に表示し、「利用約款に同意」の選択ボタンを表示する。遊技者が、会員登録機５０１に表示された利用約款を読み、「利用約款に同意」の選択ボタンを選択した場合、会員登録機５０１は、「免許証読み取り」のページに進む。
【０１０４】
図５（ｄ）に示す「免許証読み取り」のページでは、カメラで自動車運転免許証などの身分証５５０を撮影する旨と、撮影に必要な操作が会員登録機５０１の画面に表示される。会員登録機５０１は、撮影した身分証のデータに対してＯＣＲ処理を行い身分証５５０に記載された内容をテキストデータとして読取り、読取った結果を画面に表示する。遊技者は、身分証５５０から読取った内容を会員登録機５０１の表示画面で確認し、問題がなければ会員登録機５０１の表示画面の「次へ」の選択ボタンを選択する。
【０１０５】
遊技者が、「次へ」の選択ボタンを選択すると図５（ｅ）に示す「会員属性入力」ページに進む。会員登録機５０１は、会員属性として「氏名（カナ）」、「性別」、「郵便番号」、「住所（カナ）」、「電話番号」、「携帯番号」、「暗証番号」などを入力させる画面を表示する。なお、会員属性のうち「氏名（漢字）」、「生年月日」、「住所」などは、身分証５５０のテキストデータを流用して予め入力されている。遊技者は、入力が必要な会員属性を入力し終えた時点で、会員登録機５０１の表示画面の「次へ」の選択ボタンを選択する。
【０１０６】
遊技者が、「次へ」の選択ボタンを選択すると図５（ｆ）に示す「会員属性確認」ページに進む。なお、「会員属性入力」ページで入力が必要な会員属性が入力されていない場合は、再度「会員属性入力」ページが表示され未入力欄が強調されて表示される。「会員属性確認」ページでは、「会員属性入力」ページで入力した会員属性が会員登録機５０１の画面に表示される。遊技者は、「会員属性確認」ページの内容に問題がなければ、会員登録機５０１の表示画面の「次へ」の選択ボタンを選択する。
【０１０７】
遊技者が、「次へ」の選択ボタンを選択すると図５（ｇ）に示す「登録担当者入力」ページに進む。会員登録機５０１は、登録担当者の確認画面が表示され、登録担当者情報の入力待ち状態となる。遊技者は、登録担当者の確認画面が表示された状態で、ホール店員に会員登録機５０１を返却するとともに、身分証５５０をホール店員に提示する。ホール店員は、会員登録機５０１に表示されている会員属性の内容と、提示された身分証５５０の内容とを確認して問題がなければ、登録担当者情報を入力し、会員登録機５０１の表示画面の「登録」の選択ボタンを選択する。登録担当者情報は、会員登録の確認を許可されたホール店員にそれぞれ割り当てられている。そのため、後に会員登録を確認したホール店員が誰であったのかを検証することが可能である。
【０１０８】
ホール店員が、「登録」の選択ボタンを選択すると図５（ｈ）に示す「会員登録完了」ページに進む。会員登録機５０１は、会員登録が完了した旨を表示するとともに、会員登録の情報をホール５００内のサーバを介して会員登録情報サーバ７００に送信する。さらに、会員登録機５０１は、会員登録の情報を電子マネーＡ決済管理センタ６００Ａに対しても送信する。
【０１０９】
次に、ある店舗で新規で会員登録した遊技者が、他の店舗でも会員登録を行う場合の操作について説明する。まず、図５（ａ）に示す会員登録機５０１の会員登録メニューから「他店で会員登録済みの方」を選択する。「他店で会員登録済みの方」のメニューを選択すると図５（ｂ）に示す「カードまたは携帯読取」ページに進む。「カードまたは携帯読取」ページでは、電子決済カード５０２Ａまたは携帯機器５０３をリードライタ部にかざすことを促すメッセージが表示され、電子決済カード５０２Ａまたは携帯機器５０３をリードライタ部にかざすことで電子決済カード５０２Ａまたは携帯機器５０３の決済ＩＤが読取られ、会員登録機５０１の表示画面に決済ＩＤが表示される。会員登録機５０１は、読取った決済ＩＤに基づいて電子マネーＡ決済管理センタ６００Ａから会員属性の情報を取得する。なお、電子マネーＡ決済管理センタ６００Ａから会員属性の情報を取得する場合、会員登録機５０１は、新規の会員登録の際に決めてある暗証番号の入力が必要である。以降の処理は、電子マネーＡ決済管理センタ６００Ａから読取った会員属性の情報に基づき新規の会員登録の処理と同様の処理を行うことで他店での会員登録が完了するため、詳細な手順の説明を省略する。
【０１１０】
次に、新規で会員登録した内容を変更したい場合の操作について説明する。まず、図５（ａ）に示す会員登録機５０１の会員登録メニューから「登録内容を変更されたい方」を選択する。「登録内容を変更されたい方」のメニューを選択すると図５（ｂ）に示す「カードまたは携帯読取」ページに進む。「カードまたは携帯読取」ページでは、電子決済カード５０２Ａまたは携帯機器５０３をリードライタ部にかざすことを促すメッセージが表示され、電子決済カード５０２Ａまたは携帯機器５０３をリードライタ部にかざすことで電子決済カード５０２Ａまたは携帯機器５０３の決済ＩＤが読取られ、会員登録機５０１の表示画面に決済ＩＤが表示される。会員登録機５０１は、読取った決済ＩＤに基づいて電子マネーＡ決済管理センタ６００Ａから会員属性の情報を取得する。なお、電子マネーＡ決済管理センタ６００Ａから会員属性の情報を取得する場合、会員登録機５０１は、新規の会員登録の際に決めてある暗証番号の入力が必要である。電子マネーＡ決済管理センタ６００Ａから読取った会員属性の情報のうち変更したい情報を遊技者が変更し、以降の処理は、変更した会員属性の情報に基づき新規の会員登録の処理と同様の処理を行うことで登録内容の変更が完了するため、詳細な手順の説明を省略する。
【０１１１】
＜電子マネーの入金＞
会員登録された電子決済カード５０２Ａに電子マネーＡを入金（チャージ）する処理について説明する。なお、ここでは、電子決済カード５０２Ａへの電子マネーＡのチャージについて説明するが、電子マネーＢ対応カード５０２Ｂへも、同様に、電子マネーＢをチャージすることができる。なお、電子マネーＢ対応カード５０２Ｂへは、クレジットカードでの決済によって電子マネーＢをチャージすることが可能であるが、ＣＵ３においては、現金での決済のみによって電子マネーＢのチャージが可能である。つまり、ＣＵ３においては、電子マネー対応カード５０２Ｂの現金決済電子マネー記憶領域５２１Ｂに現金で決済された電子マネーＢを特定可能な情報を記録可能である。
【０１１２】
図６は、ＣＵ３を用いて電子決済カード５０２Ａに電子マネーＡを入金する処理を説明するための概略図である。まず、図６（ａ）に示すように、ＣＵ３は、会員カードが挿入されていない状態で紙幣挿入口３０２に紙幣が挿入されると、入金情報が一旦ストックカード３３２に記録され、表示器３１２に金額が表示される。なお、入金情報は、ストックカード３３２に記憶されるとともに、ＣＵ制御部３２３のＲＡＭなどにも記憶される。なお、入金情報は、ストックカード３３２およびＣＵ制御部３２３のＲＡＭの少なくともいずれかに記憶されればよく、ＣＵ制御部３２３のＲＡＭに記憶されるのであればストックカード３３２には記憶されないようにしてもよい。もちろん、入金情報をＣＵ制御部３２３のＲＡＭなどに記憶させておき、ストックカード３３２を排出させる場合に、ＣＵ制御部３２３のＲＡＭなどに記憶している入金情報をストックカード３３２に記憶させてもよい。例えば、１万円札を紙幣挿入口３０２に挿入すると、表示器３１２に「１００００円」と表示される。
【０１１３】
ＣＵ３を用いて電子決済カード５０２Ａに電子マネーＡをチャージする方法には、２つの方法があり、１つはメニュー選択から電子マネーＡの入金（チャージ）を選択する方法（「メニュー選択」による方法）と、カード返却に代えて電子決済カード５０２Ａに電子マネーＡを入金する方法（「返却ボタン押下」による方法）とがある。
【０１１４】
まず、「メニュー選択」による方法について説明する。ＣＵ３は、紙幣挿入口３０２から入金された金額を表示器３１２に表示するとともに、図６（ｂ）に示すようなメニュー画面が表示される。当該メニュー画面には、「お知らせ」、「チャージ」の選択ボタンが表示される。ＣＵ３は、遊技者が「チャージ」の選択ボタンを押下すると、図６（ｃ）に示すように表示器３１２に「カードをかざしてください。」と表示する。なお、この時点で電子決済カード５０２Ａへ電子マネーＡを入金することを中止できるように「キャンセル」の選択ボタンも表示器３１２に表示される。ここで、「キャンセル」の選択ボタンを押下した場合、図６（ａ）に示す状態に戻る。なお、遊技者が「チャージ」の選択ボタンを押下してから電子マネー受付部３３０に電子決済カード５０２Ａをかざして入金する場合を説明したが、電子マネー受付部３３０に電子決済カード５０２Ａをかざすことで、電子決済カード５０２Ａへ電子マネーＡを入金してもよい。
【０１１５】
次に、ＣＵ３は、遊技者が電子マネー受付部３３０に電子決済カード５０２Ａをかざした場合、図６（ｄ）に示すようにストックカード３３２に記録された１００００円が電子決済カード５０２Ａの電子マネーＡとして入金され、入金中（チャージ中）である旨の表示を表示器３１２に表示する。そして、ＣＵ３は、図６（ｄ）に示すように電子決済カード５０２Ａへの電子マネーＡの入金が完了すると、「チャージ完了」の表示を行うとともに、電子決済カード５０２Ａに入金した電子マネーＡの金額を表示する。
【０１１６】
なお、この図６（ｄ）のチャージ完了の表示のみ、電子マネーＢ対応カード５０２Ｂをかざした場合を示している。例えば、図６（ｄ）に示す場合では、入金した電子マネーＢの金額として「現金決済：１００００円」が表示され、遊技者に１００００円の電子マネーが確かにチャージされたことを報知している。また、元々、クレジットカードで決済された電子マネーＢの金額として「カード決済：５０００円」表示され、元々クレジットカードで５０００円の電子マネーがチャージされていたことを遊技者に報知している。これにより、電子マネーＢ対応カード５０２Ｂに現金決済の電子マネーＢおよびクレジット決済の電子マネーＢがそれぞれどの程度チャージされているかを遊技者に知らせることができる。なお、電子マネーＢ対応カード５０２Ｂの場合であっても、現金で決済された電子マネーＢのみを表示して、クレジットカードで決済された電子マネーＢの金額は表示しないようにしてもよい。これにより、ＣＵ３では利用できないクレジット決済の電子マネーＢの金額といった不要な情報を表示する無駄を省くことができる。電子決済カード５０２Ａをかざした場合は、クレジットカード決済の金額は表示されない。また、チャージされた金額のみを表示するようにしてもよいし、元々チャージされていた金額とチャージされた金額との合計を表示するようにしてもよいし、元々チャージされていた金額とチャージされた金額とを分けて表示するようにしてもよい。
【０１１７】
さらに、ＣＵ３は、図６（ｄ）に示すようにチャージが完了すると、「カードをお取りください。」とのメッセージを表示する。遊技者は、当該表示後に、電子マネー受付部３３０に電子決済カード５０２Ａをかざすことをやめる。
【０１１８】
ＣＵ３は、チャージが完了すると、電子決済カード５０２Ａへ入金された電子マネーＡの金額を含む決済情報を通信ボックス５０４を介して遊技決済センタ８２０に送信する。
【０１１９】
一方、「返却ボタン押下」による方法について説明する。ＣＵ３は、紙幣挿入口３０２から入金された金額が表示器３１２に表示されている状態で遊技者がカード返却ボタン３２２を押下した場合、図６（ｅ）に示すような画面が表示器３１２に表示される。当該画面には、「カード返却」、「チャージ」、「キャンセル」の選択ボタンが表示され、「カード返却または、残額をチャージするか選択してください。」とのメッセージが表示される。ＣＵ３は、遊技者が「チャージ」の選択ボタンを押下すると、図６（ｃ）に示すように表示器３１２に「カードをかざしてください。」と表示する。一方、ＣＵ３は、遊技者が「カード返却」の選択ボタンを押下すると、カード挿入／排出口３０９から一般カードとしてストックカード３３２が排出される。なお、ＣＵ３は、遊技者が「キャンセル」の選択ボタンを押下すると、カード返却および電子決済カード５０２Ａに電子マネーＡを入金することを中止することができる。なお、「キャンセル」の選択ボタンを押下した場合、図６（ａ）に示す状態に戻る。
【０１２０】
図６（ｅ）で遊技者が「チャージ」の選択ボタンを押下して以降の処理は、「メニュー選択」による方法で説明した操作と同じであるため詳細な説明を省略する。なお、電子決済カード５０２Ａに電子マネーＡを入金する場合に、電子決済カード５０２Ａに入金できる上限金額（例えば、５００００円）以上の電子マネーＡを入金しようとすると表示器３１２にエラーメッセージを報知するようにしてもよい。また、ＣＵ３は、遊技決済センタ８２０との通信がオフライン状態であっても、電子決済カード５０２Ａへの電子マネーＡのチャージを可能にしてもよい。これにより、電子決済カード５０２Ａの利便性が向上する。ただし、ＣＵ３は、通信ボックス５０４との通信がオフライン状態のとき、電子決済カード５０２Ａへの電子マネーＡのチャージを制限する。なお、チャージ制限として、電子決済カード５０２Ａへの電子マネーＡのチャージを禁止する、高額（例えば、１００００円以上）の電子マネーＡのチャージを禁止するなどが考えられる。これにより、ＣＵ３を用いて電子マネーＡを不正にチャージすることを防止できる。電子決済カード５０２Ａへの電子マネーＡのチャージを制限する場合、図６（ｂ）に示す「チャージ」の選択ボタンをクレーで表示し、押下できないようにする。さらに、図６に示したように電子決済カード５０２Ａに電子マネーＡをチャージする場合、後述するような暗証番号入力は不要である（図１０（ｂ）参照）。もちろん、電子決済カード５０２Ａに電子マネーＡをチャージする場合も、暗証番号入力するようにしてもよい。
【０１２１】
＜電子決済カードからの入金＞
次に、電子決済カード５０２Ａにチャージされている電子マネーＡをＣＵ３に入金する処理について説明する。なお、ここでは、電子決済カード５０２Ａからの入金について説明するが、電子マネーＢ対応カード５０２Ｂからの入金も、同様に行なうことができる。また、電子マネーＢ対応カード５０２Ｂには、クレジット決済電子マネー記憶領域５２２Ｂにクレジットカードで決済した電子マネーＢも記録されるが、ＣＵ３では、現金決済電子マネー記憶領域５２１Ｂに記録された現金で決済した電子マネーＢの残額を読み取るだけでなく、クレジット決済電子マネー記憶領域５２２Ｂに記録されたクレジットカードで決済した電子マネーＢの残額も読み取るようにする。なお、クレジットカードで決済した電子マネーＢの残額は読取らないようにしてもよい。
【０１２２】
図７は、電子決済カード５０２Ａにチャージされている電子マネーＡをＣＵ３に入金する処理を説明するための概略図である。まず、ＣＵ３は、電子決済カード５０２Ａを用いて遊技する場合、図７（ａ）に示すようなメニュー画面が表示される。当該メニュー画面には、「電子マネー移行」、「電子マネー入金」の選択ボタンが表示される。ＣＵ３は、遊技者が「電子マネー入金」の選択ボタンを押下すると、図７（ｂ）に示すように表示器３１２に「カードをかざしてください。」と表示する。なお、この時点で電子決済カード５０２Ａの電子マネーＡをＣＵ３に入金することを中止できるように「キャンセル」の選択ボタンも表示器３１２に表示される。ここで、「キャンセル」の選択ボタンを押下した場合、図７（ａ）に示す状態に戻る。
【０１２３】
次に、ＣＵ３は、遊技者が電子マネー受付部３３０に電子決済カード５０２Ａをかざした場合、図７（ｃ）に示すように電子決済カード５０２Ａにチャージされている金額がＣＵ３に入金され、入金中（チャージ中）である旨の表示を表示器３１２に表示する。なお、電子マネーＡの入金された金額（入金情報）は、ストックカード３３２およびＣＵ制御部３２３のＲＡＭなどに記憶される。ここで、ＣＵ３は、入金で可能な上限金額（例えば、１００００円）が設定してあり、電子マネー受付部３３０にかざした電子決済カード５０２Ａに上限金額より多い電子マネーＡの金額（例えば、３００００円）があっても上限金額以下の電子マネーＡの金額を入金することになる。さらに、同じ電子決済カード５０２ＡでＣＵ３に入金できる１日の上限金額を例えば５００００円に制限してもよい。具体的には、電子マネーＡ決済管理センタ６００Ａは、電子決済カード５０２Ａの決済ＩＤに基づいてＣＵ３に入金される電子マネーＡの入金額を監視し、１日の上限金額を超えた場合にＣＵ３へ入金した決済情報を受け付けない。なお、ＣＵ３に入金できる１日の上限金額を同じホール内に限定してもよいし、電子決済カード５０２Ａが利用可能なすべてのホールとしてよい。ＣＵ３に入金可能な電子マネーＡの金額にこのような上限金額を設けることで、のめり込みを防止することや射幸心を抑制することが可能になる。また、遊技者に貸出す遊技球を２５玉で１００円（税抜）とした場合、消費税の税率が８％であれば２５玉で１０８円（税込）となる。玉貸し操作をする際に、プリペイドの残額から２５玉貸出すたびに１０８円単位で減算した場合、１００００円のプリペイドの残額に対して玉貸し操作を行ない減算していくと最後に６４円が貸出せずに残額として残ることになる。なお、遊技者に貸出す遊技球を２５玉で１０８円（税込）とする場合について説明したが、遊技者に貸出す遊技球の数を減らして消費税分を徴収してもよい。具体的に、ＣＵ３は、消費税の税率が８％であれば、１００円で２３玉を遊技者に貸出すように設定してもよい。
【０１２４】
つまり、電子決済カード５０２Ａにチャージされている電子マネーＡをＣＵ３に入金する場合に、電子決済カード５０２Ａにチャージされている１００００円分の電子マネーＡを単純にＣＵ３に入金すると遊技後に必ず６４円の残額が残ることになる。具体的に、図８は、電子決済カード５０２Ａにチャージされている１００００円分の電子マネーＡをＣＵ３に入金した場合の処理を説明するための概略図である。図８（ａ）および図８（ｂ）の操作は、図７（ａ）および図７（ｂ）で示した操作と同じであるため詳細な説明を省略する。ＣＵ３は、遊技者が電子マネー受付部３３０に電子決済カード５０２Ａをかざした場合、図８（ｃ）に示すように電子決済カード５０２Ａにチャージされている１００００円分の電子マネーＡの金額がＣＵ３へ入金され入金中（チャージ中）である旨の表示を表示器３１２に表示する。そして、ＣＵ３は、図８（ｃ）に示すようにＣＵ３への入金が完了すると、「チャージ完了」と表示するとともに、ＣＵ３へ入金した金額である「１００００円」を表示する。
【０１２５】
ＣＵ３に１００００円が入金された状態で、２５玉で１０８円（税込）の単位で玉貸し操作を行ない遊技を行う（図８（ｄ）に示す消費動作）と、最後６４円分が貸出せずに残額として残ることになる（端数カード挿入状態、またはＣＵ制御部３２３のＲＡＭに記憶された状態）。ＣＵ３は、６４円の残額が残っていることを図８（ｅ）に示すように「残額：６４円」と表示器３１２に表示する。この状態で、遊技を終了する場合、カード返却ボタン３２２を押下して、６４円の残額をストックカード３３２に書き込み一般カードとして排出するか、後述する電子決済カード５０２Ａに６４円の残額をチャージする必要がある。
【０１２６】
しかし、残った残額が少額であるため、ＣＵ３に残額を残したまま放置されたり、排出された一般カードを取り忘れたりする可能性が高くなる。ＣＵ３に残額が残った状態、一般カードが取り忘れた状態になると、次の遊技者が遊技機を利用することができず遊技機の稼働率が低下する虞がある。また、ＣＵ３の残額を処理したり、取り忘れの一般カードを回収したりする作業が必要となりホール店員の業務が煩雑になる。
【０１２７】
そこで、本実施の形態では、図７（ｃ）に示すように、電子決済カード５０２Ａにチャージされている電子マネーＡをＣＵ３に入金する場合に、遊技に使用する遊技玉を貸出す際に電子マネーＡの金額から減算する電子マネーＡの単位額を例えば１０８円として、当該単位額で割切れる電子マネーＡの金額、例えば９９３６円（９９３６円÷１０８円＝９２）をＣＵ３に入金する。ここで、電子マネーＡの単位額とは、ＣＵ３に入金する場合に入金することができる金額の最低単位である。つまり、電子マネーＡの単位額は、１回の玉貸し単位（例えば２５玉）の遊技球の貸出し（遊技点の加算）を行うときに減算される金額でもある。ＣＵ３は、遊技者が電子マネー受付部３３０に電子決済カード５０２Ａをかざした場合、図７（ｃ）に示すように電子決済カード５０２Ａにチャージされている１００００円分の電子マネーＡのうち９９３６円分の金額（単位額で割切れる電子マネーＡの金額）がＣＵ３へ入金され、入金中（チャージ中）である旨の表示を表示器３１２に表示する。そして、ＣＵ３は、図７（ｃ）に示すようにＣＵ３への入金が完了すると、「チャージ完了」と表示するとともに、ＣＵ３へ入金した金額である「９９３６円」を表示する。これにより、遊技者がＣＵ３へ入金した金額を知ることができ利便性が向上する。なお、ＣＵ３へ入金した金額の報知は、表示器３１２に「９９３６円」と表示する場合に限定されず、ＣＵ３へ入金した金額が特定可能であればスピーカ２７０から入金金額を音声で報知したり、携帯端末に電子メールで入金金額を送信して報知したりしてもよい。
【０１２８】
電子決済カード５０２Ａにチャージされている電子マネーＡをＣＵ３に入金する場合に、電子決済カード５０２Ａにチャージされている１００００円分の電子マネーＡのうち９９３６円分の金額（単位額で割切れる電子マネーＡの金額の最大金額）がＣＵ３へ入金される場合を説明したが、遊技者が指定した金額に対して単位額で割切れる電子マネーＡの金額の最大金額でもよい。例えば、電子決済カード５０２Ａに１００００円分の電子マネーＡがチャージされている場合に、遊技者が５０００円分の金額をＣＵ３へ入金することを指定すると、指定した５０００円分の金額に対して単位額（１０８円）で割切れる最大金額の４９６８円分の金額がＣＵ３に入金される。なお、遊技者に貸出す遊技球の数を減らして消費税分を徴収する（例えば２３玉で１００円（税込））設定であれば、電子決済カード５０２Ａにチャージされている電子マネーＡをＣＵ３に入金する場合に、遊技に使用する遊技玉を貸出す際に電子マネーＡの金額から減算する電子マネーＡの単位額を例えば１００円として、当該単位額で割切れる電子マネーＡの金額、例えば１００００円をＣＵ３に入金する。
【０１２９】
ＣＵ３に９９３６円が入金された状態で、２５玉で１０８円（税込）の単位で玉貸し操作を行ない遊技を行う（図７（ｄ）に示す消費動作）と、最後に貸出せずに残る残額は０円となる（０円０玉状態）。ＣＵ３は、残額が０円となるので、残額を表示器３１２に表示することなく、図８（ｅ）に示すように「ご利用ありがとうございました。」のメッセージが表示器３１２に表示されて処理が終了する。これにより、ＣＵ３は、単位額（例えば、１０８円）で割切れる電子マネーＡの金額（例えば、９９３６円）が入金されるので、ＣＵ３に端数の残額が生じ難く、終了（台移動などを含む）時や精算時に残額をストックカード３３２に書込み一般カードとして排出したり、電子決済カード５０２Ａに残額をチャージしたりする処理が不要となる。そのため、ＣＵ３は、終了時や精算時に係る処理の煩雑さが解消され利便性が向上する。また、ＣＵ３に端数の残額が生じ難いので、残額をストックカード３３２に書込み一般カードとして排出したり、電子決済カード５０２Ａに残額をチャージしたりする処理を減らすことができ、ＣＵ３に残額が残った状態、返却された一般カードの取り忘れや電子マネーＡへのチャージ忘れによる稼働率の低下を防止できる。これらの処理を行うホール店員の業務を軽減できたりすることができる。
【０１３０】
なお、ＣＵ３は、電子マネーＡの単位額を例えば１０８円と設定すると説明したが、電子マネーＡの単位額を複数の単位額の中から選んでＣＵ制御部３２３で設定することができるようにしてもよい。例えば、ＣＵ３は、電子マネーＡの単位額を１００円、１０８円、１１０円、５００円、５４０円、５５０円など複数用意しておき、ホール側がその中から選択して電子マネーＡの単位額を５４０円と設定する。また、電子マネーＡの単位額は、消費税率の変更にあわせて変更することが可能で、例えば消費税率が８％から１０％に変更された場合１０８円を１１０円に変更することができるようにしてもよい。さらに、遊技者が１回「貸出」ボタンを押下する貸出操作（玉貸操作）を行なうことにより、ＣＵ３が５００円（税抜）分すなわち１２５玉の貸出を行なうように設定されている場合、電子マネーＡの単位額も５４０円と設定する。電子マネーＡの単位額、遊技者に貸出す遊技球を変えずに消費税分を徴収するのか（例えば２５玉で１０８円（税込））、遊技者に貸出す遊技球の数を減らして消費税分を徴収するのか（例えば２３玉で１００円（税込））などの設定は、ＣＵ３毎に設定することも可能であるが、管理装置でホール内の設定を一括して設定できるようにしてもよい。
【０１３１】
遊技者がＣＵ３へ電子マネーＡで再入金する場合、前回入金に利用した電子決済カード５０２Ａ以外の再入金を制限してもよい。複数の電子決済カード５０２Ａでの再入金を認めた場合に、ＣＵ３に残った電子マネーＡを返却するときに、どの電子決済カード５０２Ａに返却したらよいのかが問題になるとともに、セキュリティが低下する虞がある。また、遊技者がＣＵ３へ電子マネーＡで再入金する場合に、前回入金に利用した電子決済カード５０２Ａをかざして、別の電子決済カード５０２Ａでの再入金を許可すると、別の電子決済カード５０２Ａで再入金を行えるようにしてもよい。これにより、電子マネーＡがチャージされている別の電子決済カード５０２Ａを利用して再入金することが可能となるので、セキュリティを担保しつつ、遊技者の利便性が向上する。
【０１３２】
遊技者が１回「貸出」ボタンを押下する貸出操作（玉貸操作）を行なうことにより、ＣＵ３が１００円（税抜）分すなわち２５玉の貸出を行なうように設定されている場合、Ｐ台２には遊技玉として２５玉のデータが加算されることになる。しかし、本実施の形態に係る電子決済システムは、封入循環式パチンコ機（Ｐ台２）、メダル不要のスロットマシン（Ｓ台２Ｓ）の遊技用システムに限定されるのではなく、パチンコ玉が払出されるパチンコ遊技機、メダルが払出されるスロットマシンなどの遊技機にも適用することができる。そのため、遊技者が１回「貸出」ボタンを押下する貸出操作（玉貸操作）を行なうことにより、カードユニットのノズルから２５玉の実際の遊技玉（パチンコ玉）が払出されてもよい。また、パチンコ玉が払出されるパチンコ遊技機などに接続されるカードユニットに対して本実施の形態に係る電子決済システムを適用してもよい。
【０１３３】
＜カード返却の処理＞
ＣＵ３に一般カードが挿入されている状態でカード返却ボタン３２２が押下された場合の処理について説明する。なお、ここでは、電子決済カード５０２Ａの返却について説明するが、電子マネーＢ対応カード５０２Ｂの返却も、同様に行なうことができる。
【０１３４】
図９は、カード返却ボタン３２２が押下された場合の処理について説明するための概略図である。まず、図９（ａ）に示すＣＵ３は、Ｐ台２での遊技終了後、遊技者がカード返却ボタン３２２を押下した場合に、挿入している一般カードを返却する処理を行う。ただし、ＣＵ３に入金する方法により、一般カードの返却方法が異なる。つまり、現金を挿入してＣＵ３に入金した場合と、電子決済カード５０２Ａにチャージされている電子マネーＡをＣＵ３に入金した場合とで処理が異なる。
【０１３５】
現金を挿入してＣＵ３に入金した場合、ＣＵ３は、カード返却ボタン３２２が押下されると図９（ｅ）に示すように「ご利用ありがとうございました。」のメッセージが表示器３１２に表示されて、残りの持玉や残額が一般カードに記録されてカード挿入／排出口３０９から排出される。なお、現金を挿入してＣＵ３に入金した場合でなくても、電子決済カード５０２Ａにチャージされている電子マネーＡをＣＵ３に入金しない場合であればよく、残額のある一般カードをＣＵ３に挿入してＰ台２で遊技が行われている場合も同様の処理で返却される。なお、追加入金しなければ玉貸しが行なえない端数（例えば、残高６４円）のカードを返却することがある。もちろん、端数のカードを返却しないようにしてもよい。
【０１３６】
次に、電子決済カード５０２Ａにチャージされている電子マネーＡをＣＵ３に入金した場合、ＣＵ３は、カード返却ボタン３２２が押下されると図９（ｂ）に示すように残額（残高）の金額（例えば、５９４０円）と選択画面が表示される。当該選択画面には、「カード返却」、「電子マネー移行」の選択ボタンが表示され、「カード返却または、残額をチャージするか選択してください。」とのメッセージが表示される。なお、この時点でカード返却の処理を中止できるように「キャンセル」の選択ボタンも表示器３１２に表示される。ここで、「キャンセル」の選択ボタンを押下した場合、図９（ａ）に示す状態に戻る。
【０１３７】
次に、ＣＵ３は、遊技者が「電子マネー移行」の選択ボタンを押下すると、図９（ｃ）に示すように表示器３１２に「カードをかざしてください。」と表示する。なお、この時点でカード返却の処理を中止できるように「キャンセル」の選択ボタンも表示器３１２に表示される。ここで、「キャンセル」の選択ボタンを押下した場合、図９（ａ）に示す状態に戻る。また、遊技者が「電子マネー移行」の選択ボタンを押下さずに、電子マネー受付部３３０に電子決済カード５０２Ａをかざすだけで、ＣＵ３の残額を電子決済カード５０２Ａの電子マネーＡとして移行してもよい。
【０１３８】
次に、ＣＵ３は、遊技者が電子マネー受付部３３０に電子決済カード５０２Ａをかざした場合、図９（ｄ）に示すようにＣＵ３の残額（残高）（例えば、５９４０円）が電子決済カード５０２Ａの電子マネーＡとしてチャージ中（移行中）である旨の表示を表示器３１２に表示する。そして、ＣＵ３は、図９（ｄ）に示すようにＣＵ３の残額を電子決済カード５０２Ａの電子マネーＡとして移行することが完了すると、「移行完了」の表示を行うとともに、電子決済カード５０２Ａの電子マネーＡとして移行した金額である「５９４０円」を表示する。これにより、ＣＵ３に記憶している電子マネーＡの金額をすべて使い切る必要がないので、遊技者の利便性が向上する。さらに、ＣＵ３は、図９（ｄ）に示すように移行が完了すると、「カードをお取りください。」とのメッセージを表示する。遊技者は、当該表示後に、電子マネー受付部３３０に電子決済カード５０２Ａをかざすことをやめる。なお、電子マネーＡを移行できる電子決済カード５０２Ａを、いずれの電子決済カード５０２Ａでも可能としてもよいが、電子決済カード５０２Ａの所有者以外によるＣＵ３の残額に対する盗難を防止するためには、ＣＵ３に電子マネーＡをチャージした電子決済カード５０２Ａと同じ決済ＩＤの電子決済カード５０２Ａを電子マネー受付部３３０にかざした場合に限り電子マネーＡを移行できるように制限してもよい。
【０１３９】
なお、電子決済カード５０２Ａにチャージされている電子マネーＡをＣＵ３に入金した場合であっても、図９（ｂ）に示す選択画面で「カード返却」を選択し、電子決済カード５０２Ａを電子マネー受付部３３０にかざすと、現金を挿入してＣＵ３に入金した場合と同様、図９（ｅ）に示すように「ご利用ありがとうございました。」のメッセージが表示器３１２に表示されて、残りの持玉や残額が一般カードに記録されてカード挿入／排出口３０９から排出される。例えば、「カード返却」のボタン選択と電子決済カード５０２Ａをかざすとの操作に基づき、ＣＵ３に記憶している電子マネーＡの金額（ＣＵ３へ入金した金額）を、カードリーダライタ３３１で電子決済カード５０２Ａと異なるストックカード３３２に記録する。そして、カードリーダライタ３３１は、ＣＵ３に記憶している電子マネーＡの金額を記録したストックカード３３２を一般カードとしてカード挿入／排出口３０９から排出する。これにより、ＣＵ３に記憶している電子マネーＡの金額を電子決済カード５０２Ａ以外（例えば、一般カード）で特定可能にすることか可能となるので、電子決済カード５０２Ａの電子マネーＡの金額を複数の遊技者に分配するなど、遊技者の利便性が向上する。なお、ＣＵ３の残額を一般カードに記録させて排出させることができる電子決済カード５０２Ａを、いずれの電子決済カード５０２Ａでも可能としてもよいが、電子決済カード５０２Ａの所有者以外によるＣＵ３の残額に対する盗難を防止するためには、ＣＵ３に電子マネーＡをチャージした電子決済カード５０２Ａと同じ決済ＩＤの電子決済カード５０２Ａを電子マネー受付部３３０にかざした場合に限りＣＵ３の残額を遊技者所有の一般カードに記録させて排出させることができるように制限してもよい。ここで、ＣＵ３の残額を精算する操作として「電子マネー移行」および「カード返却」を説明したが、終了操作（例えば、リモコンにより強制的に遊技を停止する操作、遊技機をリセットする操作など）によってもＣＵ３の残額を電子決済カード５０２Ａの電子マネーＡに移行したり、ストックカード３３２に記憶させて排出したりする場合がある。
【０１４０】
ＣＵ３に記憶している電子マネーＡの残額（ＣＵ３へ入金した金額）を、カードリーダライタ３３１でストックカード３３２に記録して、一般カードとして排出する場合、現金で入金した金額の残額と、電子マネーＡで入金した金額の残額とを区別して記録する。つまり、一旦電子マネーＡとして記録された金額は、現金として払い戻しができないようにする必要があるため、一般カードにＣＵ３の残額を記録する際も、明確に現金で入金した金額の残額と、電子マネーＡで入金した金額の残額とを区別しておく。なお、現金で入金した金額の残額は、一般カードに記憶された後、精算機で現金として払い戻すことができる。一方、電子マネーＡで入金した金額の残額は、一般カードに記憶された後、精算機で現金として払い戻すことができないが、ホール外でも電子マネーＡとして利用できるようにしてもよい。もちろん、一般カードに記憶された電子マネーＡは、ホール内での利用に限定してもよく、ホール外で利用するためには精算機で携帯端末など別の記録媒体に電子マネーＡを移行させるようにしてもよい。以上のように、電子マネーＡで入金した金額の残額を一般カードに記憶された後、精算機で現金として払い戻すことができないとしたが、精算機の設定により現金として払い戻すことができるようにしてもよい。
【０１４１】
＜会員カードとしての処理＞
電子決済カード５０２Ａは、会員カードの機能が一体となったカードであるため、会員カードとしての機能、例えば持玉や貯玉による再プレイなどの処理を行うことが可能である。なお、電子マネーＢ対応カード５０２Ｂは、ホール５００の会員カードの機能を付加することは可能とされていないので、会員カードとしての処理を行えない。上述のカード返却の処理で説明したように、電子マネーＢ対応カード５０２Ｂを用いて遊技をしている場合に、カード返却時の残額はビジターカードで返却可能なことに加えて、電子マネーＢ対応カード５０２Ｂにチャージすることも可能であるとともに、カードの返却時に持玉がある場合は、ビジターカードに持玉が記録される。
【０１４２】
図１０は、電子決済カード５０２Ａの会員カードの機能を利用してサーバに問い合わせを行う処理を説明するための概略図である。まず、ＣＵ３は、待機中に遊技者が電子マネー受付部３３０に電子決済カード５０２Ａをかざすと、電子決済カード５０２Ａに記録されている決済ＩＤに基づいてホールの会員登録が行われているか否かを会員登録情報サーバ７００やホール用管理コンピュータなどのサーバに問い合わせる。ＣＵ３は、図１０（ａ）に示すようにサーバ問い合わせ中画面表示を表示器３１２に表示する。ＣＵ３は、問い合わせの結果、決済ＩＤに基づいてホールの会員登録が行われている場合、図１０（ｂ）に示すように会員カード挿入状態となる。
【０１４３】
ＣＵ３は、会員カード挿入状態になると、図１０（ｂ）に示すように「会員利用中  暗証番号を入力してください。」とのメッセージを表示器３１２に表示する。ＣＵ３は、遊技者が正しい暗証番号を入力する（暗証番号入力完了）と、決済ＩＤの会員が会員登録情報サーバ７００やホール用管理コンピュータなどのサーバで認証され、決済ＩＤの会員カードを利用するモードにログインした状態となる。そして、ＣＵ３は、持玉や貯玉を管理しているホール用管理コンピュータに対して問い合わせを行い、図１０（ｃ）に示すように「会員利用中  貯玉：１５００玉、持玉：３０００玉」とのメッセージを表示器３１２に表示する。なお、電子決済カード５０２Ａに電子マネーＡの残高がある場合、表示器３１２に「会員利用中  貯玉：１５００玉、持玉：３０００玉、残高：５０００円」のメッセージを表示してもよい。
【０１４４】
決済ＩＤの会員カードを利用するモードにログインしている状態では、ＣＵ３は、貯玉の払出しや持玉の払い出しを従来通り行うことができ、再プレイボタン３１９を押すだけで、貯玉や持玉を利用した再プレイが可能となる。また、ＣＵ３は、決済ＩＤの会員カードを利用するモードにログイン中、再プレイの度に電子マネー受付部３３０に電子決済カード５０２Ａをかざす必要がなく、再プレイボタン３１９を押すだけでよい。つまり、カード返却ボタン３２２が押下されて決済ＩＤの会員カードを利用するモードからログアウトするまで、再プレイボタン３１９を押すだけで再プレイを行うことができる。具体的に、遊技者が再プレイを押下すると、図１０（ｃ）に示す「持玉：３０００玉」から玉数が減算され封入循環式パチンコ機であるＰ台２の遊技玉数のカウントが増加する。なお、封入循環式パチンコ機でない遊技機であれば図１０（ｃ）に示す「持玉：３０００玉」から玉数が減算されると遊技玉が上皿に貸出される。遊技者が再プレイを押下した場合、持玉を優先して使用し、持玉が０玉になった時点で貯玉を減算する。もちろん、遊技者が再プレイを押下した場合に、減算する対象を持玉か貯玉かのいずれかを選択して減算するようにしてもよい。
【０１４５】
次に、ＣＵ３が、決済ＩＤの会員カードを利用するモードからログアウトする処理について説明する。ＣＵ３は、遊技者がカード返却ボタン３２２を押下するとログアウトが開始される。具体的に、ＣＵ３は、ログアウト時の貯玉、持玉の情報に更新するためホール用管理コンピュータなどのサーバに問い合わせを行う。ＣＵ３は、図１０（ｄ）に示すようにサーバ問い合わせ中画面表示を表示器３１２に表示する。ＣＵ３は、サーバへの問い合わせが終了するとログアウト処理が完了し、「ログアウト  ご利用ありがとうございました。」とのメッセージを表示器３１２に表示し、待機中状態に戻る。
【０１４６】
次に、ＣＵ３が待機中ではなく一般カードが既にカード挿入／排出口３０９に挿入されている場合に、決済ＩＤに基づいてサーバに問い合わせることができない。そのため、一般カードの残額および持玉を電子決済カード５０２Ａにチャージして、決済ＩＤに基づいてサーバに問い合わせが行えるように処理する必要がある。図１１は、一般カードが挿入されている場合に、決済ＩＤに基づいてサーバに問い合わせを行うことを可能にする処理を説明するための概略図である。まず、ＣＵ３は、一般カードが挿入されていると、図１１（ａ）に示すように「一般カード  残額：１０００円  持玉：１０００玉」とのメッセージを表示器３１２に表示する。また、ＣＵ３は、一般カード挿入中、遊技者が電子マネー受付部３３０に電子決済カード５０２Ａをかざしても、決済ＩＤの会員カードを利用するモードにログインする処理を行うことはない。
【０１４７】
しかし、ＣＵ３は、電子マネー受付部３３０に電子決済カード５０２Ａをかざすと、図１１（ｂ）に示すようなメニュー画面が表示される。当該メニュー画面には、「お知らせ」、「持玉チャージ」の選択ボタンが表示される。ＣＵ３は、遊技者が「持玉チャージ」の選択ボタンを押下すると、図１１（ｂ）に示すように表示器３１２に「カードをかざしてください。」と表示する。なお、この時点で持玉チャージを中止できるように「キャンセル」の選択ボタンも表示器３１２に表示される。ここで、「キャンセル」の選択ボタンを押下した場合、図１１（ａ）に示す状態に戻る。また、メニュー画面には「持玉チャージ」のみが表示されているが、「持玉および電子マネーチャージ」の選択ボタンを表示してもよい。この「持玉および電子マネーチャージ」の選択ボタンを押下すると、一般カードに記録された持玉とＣＵ３に入金されている電子マネーＡとを電子決済カード５０２Ａにチャージすることができる。
【０１４８】
次に、ＣＵ３は、遊技者が電子マネー受付部３３０に電子決済カード５０２Ａをかざした場合、図１１（ｃ）に示すように一般カードに記録された持玉を電子決済カード５０２Ａの決済ＩＤに基づく会員の持玉としてチャージ中である旨の表示を表示器３１２に表示する。そして、ＣＵ３は、図１１（ｃ）に示すように決済ＩＤに基づく会員の持玉としてチャージが完了すると、持玉数として「１０００玉」の表示を行うとともに、「カードをお取りください。」との表示を行う。なお、図１１（ｂ）および図１１（ｃ）の処理を利用することで、電子決済カード５０２Ａを用いてＣＵ３の持玉を分け与える（持玉共有）することができる。具体的に、ＣＵ３は、一般カードに記録された持玉の全部または一部を電子決済カード５０２Ａにチャージしてもよい。
【０１４９】
持玉チャージ後、ＣＵ３は、図１１（ｄ）に示すように「一般カード  残額：１０００円  持玉：０玉」とのメッセージを表示器３１２に表示する。つぎに、一般カードの残額（１０００円）を電子決済カード５０２Ａの電子マネーＡとしてチャージするには、図９で説明した操作を行なうことで処理することができる。そのため、図１１（ｅ）では、残額チャージとして、「図９に示した一般カード残額のチャージ処理」と記載するだけで詳細な説明を繰り返さない。なお、図１１（ｄ）および図１１（ｅ）の処理を利用することで、電子決済カード５０２Ａを用いてＣＵ３の残額を分け与える（残額共有）することができる。具体的に、ＣＵ３は、一般カードに記録された残額の全部または一部を電子決済カード５０２Ａにチャージしてもよい。
【０１５０】
ＣＵ３は、挿入中の一般カードの残額が０円および持玉が０玉となると、一般カードを排出することなく回収（例えば、入金等の際に情報を記憶させたストックカード３３２の記録を消去して、当該カードを一般カードとして排出しない。）して、図１１（ｆ）に示すように待機中に戻る。ＣＵ３は、待機中、待機画面を表示器３１２に表示する。図１１では、ＣＵ３が一般カードの持玉を決済ＩＤに基づく会員の持玉としてチャージした後に、残額を電子決済カード５０２Ａの電子マネーＡとしてチャージする例を説明したが、これに限定されるものではない。例えば、一般カードの持玉を電子決済カード５０２Ａにチャージする操作と、残額を電子決済カード５０２Ａの電子マネーＡとしてチャージする操作の順序を入れ替えてもよい。また、一般カードの持玉を電子決済カード５０２Ａにチャージする操作のみ行っても、残額を電子決済カード５０２Ａの電子マネーＡとしてチャージする操作のみ行ってもよい。
【０１５１】
［変形例］
次に上述した実施の形態の変形例を説明する。
【０１５２】
（１）  前述した実施の形態において、ＣＵ３で、電子マネーＡ対応カード５０２Ａおよび電子マネーＢ対応カード５０２Ｂのいずれが受付けられているかを報知するようにしてもよい。ＣＵ３で利用可能な電子マネー対応カード５０２を複数種類、所持しているような場合に、そのように報知することによって、いずれの電子マネー対応カード５０２を利用していたかを遊技者に知らせることができる。
【０１５３】
（２）  前述した実施の形態において、ＣＵ３などのホール内の遊技用装置、ホール５００内の管理装置、または、遊技決済センタ８２０などのホール５００外の管理装置で、電子マネーＡ対応カード５０２Ａおよび電子マネーＢ対応カード５０２Ｂのいずれが受付けられたかを集計するようにしてもよい。これにより、集計した情報を利用して、電子マネー対応カード５０２の利用に関する対策に有効利用することができる。
【０１５４】
（３）  前述した実施の形態において、ＣＵ３などのホール内の遊技用装置、ホール５００内の管理装置、または、遊技決済センタ８２０などのホール５００外の管理装置で、いずれの電子マネー対応カード５０２へのチャージに関する回数や金額などの情報、および、いずれの電子マネー対応カード５０２からの入金に関する回数や金額などの情報を集計するようにしてもよい。これにより、集計した情報を利用して、電子マネー対応カード５０２の利用に関する対策に有効利用することができる。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５６】
２  パチンコ遊技機、２Ｓ  スロットマシン、３  カードユニット、１６  主制御基板、１７  払出制御基板、２６  遊技盤、５４，３１２  表示器、３０９  カード挿入／排出口、３１９  再プレイボタン、３２０  ＩＲ受光ユニット、３２１  貸出ボタン、３２２  返却ボタン、１６１  主制御部、３２５  表示制御部、１７１  払出制御部、３２３  ＣＵ制御部。
【図１】
0006710500.tif 000002
【図２】
0006710500.tif 000003
【図３】
0006710500.tif 000004
【図４】
0006710500.tif 000005
【図５】
0006710500.tif 000006
【図６】
0006710500.tif 000007
【図７】
0006710500.tif 000008
【図８】
0006710500.tif 000009
【図９】
0006710500.tif 000010
【図１０】
0006710500.tif 000011
【図１１】
0006710500.tif 000012